(57)【特許請求の範囲】
【請求項１】
アクセス端末において動作可能な方法であって、
前記アクセス端末によって第１のアクセス・ネットワークを介して第２のアクセス・ネットワークへの事前登録が実行された後に、タイマーを開始することと、
アボート状態が発生しない限り、前記タイマーの満了より前の前記第２のアクセス・ネットワークへの追加の事前登録を防ぐことであって、サービングセル信号品質が信号品質しきい値を下回るときに前記アボート状態が発生する、事前登録を防ぐことと、
アボート状態が発生した場合、前記タイマーの前記満了より前に第２の事前登録を実行することと、
を備える方法。
【請求項２】
前記第１のアクセス・ネットワークから前記第２のアクセス・ネットワークへの切迫したハンドオフの指示が取得され、前記アクセス端末が前記第２のアクセス・ネットワークへの有効な事前登録がないとき、前記アボート状態が発生する請求項１に記載の方法。
【請求項３】
前記タイマーが、前記アクセス端末による事前登録試み間の時間を延長するように固定の持続時間を有する請求項１に記載の方法。
【請求項４】
前記タイマーがヒステリシス・タイマーである請求項１に記載の方法。
【請求項５】
前記第１のアクセス・ネットワークが前記第２のアクセス・ネットワークへの事前登録を許可すると判断すること、
をさらに備える請求項１に記載の方法。
【請求項６】
前記第１のアクセス・ネットワークの第１のサービング・アクセス・ポイントから事前登録インジケータと第１の事前登録ゾーン識別子とを受信すること、
をさらに備える請求項１に記載の方法。
【請求項７】
前記事前登録インジケータは、前記第１のアクセス・ネットワークが前記第２のアクセス・ネットワークへの事前登録を許可するかどうかを判断する請求項６に記載の方法。
【請求項８】
前記アクセス端末が、前記第１のアクセス・ポイントに関連付けられた前記受信した第１の事前登録ゾーンを記憶する請求項６に記載の方法。
【請求項９】
前記第１の事前登録ゾーンに関連付けられた２次事前登録ゾーン・リストを受信すること、をさらに備える請求項６に記載の方法。
【請求項１０】
前記アクセス端末が前記第１のアクセス・ネットワーク内の前記第１のサービング・アクセス・ポイントから第２のサービング・アクセス・ポイントに移動するとき、前記方法が、
前記第２のサービング・アクセス・ポイントのための第２の事前登録ゾーンを取得することと、
前記第２の事前登録ゾーンを前記第１の事前登録ゾーンと比較することと、
前記第１の事前登録ゾーンと前記第２の事前登録ゾーンとが同じである場合、新たな事前登録を防ぐことと、
をさらに備える請求項６に記載の方法。
【請求項１１】
前記第２のサービング・アクセス・ポイントのための２次事前登録ゾーン・リストを取得することと、
前記第１の事前登録ゾーンを前記２次事前登録ゾーン・リスト中の１つまたは複数のゾーンと比較することと、
前記第１の事前登録ゾーンが前記２次事前登録ゾーン・リスト中で発見された場合、新たな事前登録を防ぐことと、
をさらに備える請求項１０に記載の方法。
【請求項１２】
前記第１の事前登録ゾーンが前記第２の事前登録ゾーンおよび前記２次事前登録ゾーン・リスト中の前記ゾーンとは異なる場合、前記第１のアクセス・ネットワークの前記第２のサービング・アクセス・ポイントを介して前記第２のアクセス・ネットワークへの新たな事前登録を実行すること、
をさらに備える請求項１１に記載の方法。
【請求項１３】
前記第１のアクセス・ネットワークと前記第２のアクセス・ネットワークとが異なるワイヤレス・ネットワークである請求項１に記載の方法。
【請求項１４】
前記第１のアクセス・ネットワークがLong Term Evolutionネットワークであり、前記第２のアクセス・ネットワークがEvolved High Rate Packet Dataネットワークである請求項１３に記載の方法。
【請求項１５】
事前登録が、前記第１のアクセス・ネットワークを介して通信トンネルを通して前記第２のアクセス・ネットワークと１つまたは複数のメッセージを交換することを含む、請求項１に記載の方法。
【請求項１６】
前記第２のアクセス・ネットワークへの前記アクセス端末の事前登録が、遅延のない前記第１のアクセス・ネットワークと前記第２のアクセス・ネットワークとの間の後続の通信ハンドオフを可能にする請求項１に記載の方法。
【請求項１７】
第１のアクセス・ネットワークおよび第２のアクセス・ネットワークにわたって通信するためのマルチ・モード機能を有するワイヤレス通信インターフェースと、
前記ワイヤレス通信インターフェースに結合された処理回路であって、
前記アクセス端末によって前記第１のアクセス・ネットワークを介して前記第２のアクセス・ネットワークへの事前登録が実行された後に、タイマーを開始することと、
アボート状態が発生しない限り、前記タイマーの満了より前の前記第２のアクセス・ネットワークへの追加の事前登録を防ぐことであって、サービングセル信号品質が信号品質しきい値を下回るときに前記アボート状態が発生する、事前登録を防ぐことと、
アボート状態が発生する場合、前記タイマーの前記満了より前に第２の事前登録を実行することと、
を行うように適合された処理回路と、
を備えるアクセス端末。
【請求項１８】
前記ワイヤレス通信インターフェースが、常時、前記第１のアクセス・ネットワークおよび前記第２のアクセス・ネットワークのうちのただ１つと通信する請求項１７に記載のアクセス端末。
【請求項１９】
前記処理回路が、
前記第１のアクセス・ネットワークの第１のサービング・アクセス・ポイントから第１の事前登録ゾーン識別子を取得することであって、前記第１の事前登録ゾーン識別子が前記第１のアクセス・ネットワーク中の複数のアクセス・ポイントに関連付けられた、取得することと、
前記第１の事前登録ゾーンに関連付けられた２次事前登録ゾーン・リストを取得することと、
を行うようにさらに適合される請求項１７に記載のアクセス端末。
【請求項２０】
前記アクセス端末が前記第１のアクセス・ネットワーク内の前記第１のサービング・アクセス・ポイントから第２のサービング・アクセス・ポイントに移動するとき、前記処理回路が、
前記第２のサービング・アクセス・ポイントのための第２の事前登録ゾーンを取得することと、
前記第２の事前登録ゾーンを前記第１の事前登録ゾーンと比較することと、
前記第１の事前登録ゾーンと前記第２の事前登録ゾーンとが同じである場合、新たな事前登録を防ぐことと、
を行うようにさらに適合される請求項１９に記載のアクセス端末。
【請求項２１】
前記処理回路が、
前記第２のサービング・アクセス・ポイントのための２次事前登録ゾーン・リストを取得することと、
前記第１の事前登録ゾーンを前記２次事前登録ゾーン・リスト中の１つまたは複数のゾーンと比較することと、
前記第１の事前登録ゾーンが前記２次事前登録ゾーン・リスト中で発見された場合、新たな事前登録を防ぐことと、
を行うようにさらに適合される請求項２０に記載のアクセス端末。
【請求項２２】
アクセス端末によって第１のアクセス・ネットワークを介して第２のアクセス・ネットワークへの事前登録が実行された後に、タイマーを開始するための手段と、
アボート状態が発生しない限り、前記タイマーの満了より前の前記第２のアクセス・ネットワークへの追加の事前登録を防ぐための手段であって、サービングセル信号品質が信号品質しきい値を下回るときに前記アボート状態が発生する、事前登録を防ぐための手段と、
アボート状態が発生した場合、前記タイマーの前記満了より前に第２の事前登録を実行するための手段と、
を備えるアクセス端末。
【請求項２３】
第１のアクセス・ネットワークのアクセス・ポイントにおいて動作可能な方法であって、
前記第１のアクセス・ネットワーク内のアクセス・ポイントのグループを識別する第１の事前登録ゾーン識別子を取得することと、
前記第１の事前登録ゾーン識別子に関連付けられたゾーン識別子を含む２次事前登録ゾーン・リストを取得することと、
前記第１の事前登録ゾーン識別子と前記２次事前登録ゾーン・リストとを、前記アクセス・ポイントによってカバーされるセル中の１つまたは複数のアクセス端末に広告することと、
を備え、
前記第１のアクセス・ネットワークの前記アクセス・ポイントを介した第２のアクセス・ネットワークへの新たな事前登録が必要とされるかどうかを判断するために、前記第１の事前登録ゾーン識別子と前記２次事前登録ゾーン・リストとが、前記アクセス・ポイントによってカバーされるセル中の受信アクセス端末によって利用される方法。
【請求項２４】
前記第１のアクセス・ネットワークから事前登録インジケータを取得することと、
前記アクセス・ポイントによってカバーされるセル内で動作しているアクセス端末から第２のアクセス・ネットワークへの事前登録要求を受信することと、
前記事前登録インジケータがそのような事前登録が許可されることを示す場合、前記事前登録要求を前記第２のアクセス・ネットワークにルーティングすることと、
をさらに備える請求項２３に記載の方法。
【請求項２５】
第１のアクセス・ネットワーク内のセル中のアクセス端末と通信するためのワイヤレス・ネットワーク・インターフェースと、
第２のアクセス・ネットワークと通信するためのネットワーク・インターフェースと、
前記ワイヤレス・ネットワーク・インターフェースと前記ネットワーク・インターフェースとに結合された処理回路であって、
前記第１のアクセス・ネットワーク内のアクセス・ポイントのグループを識別する第１の事前登録ゾーン識別子を取得することと、
前記第１の事前登録ゾーン識別子に関連付けられたゾーン識別子を含む２次事前登録ゾーン・リストを取得することと、
前記第１の事前登録ゾーン識別子と前記２次事前登録ゾーン・リストとを、前記アクセス・ポイントによってカバーされるセル中の１つまたは複数のアクセス端末に広告することと、
を行うように適合された処理回路と
を備え、
前記第１のアクセス・ネットワークの前記アクセス・ポイントを介した第２のアクセス・ネットワークへの新たな事前登録が必要とされるかどうかを判断するために、前記第１の事前登録ゾーン識別子と前記２次事前登録ゾーン・リストとが、前記アクセス・ポイントによってカバーされるセル中の受信アクセス端末によって利用されるアクセス・ポイント。
【請求項２６】
前記処理回路が、
前記第１のアクセス・ネットワークから事前登録インジケータを取得することと、
前記アクセス・ポイントによってカバーされるセル内で動作しているアクセス端末から第２のアクセス・ネットワークへの事前登録要求を受信することと、
前記事前登録インジケータがそのような事前登録が許可されることを示す場合、前記事前登録要求を前記第２のアクセス・ネットワークにルーティングすることと
を行うようにさらに適合される請求項２５に記載のアクセス・ポイント。
【請求項２７】
第１のアクセス・ネットワーク内のアクセス・ポイントのグループを識別する第１の事前登録ゾーン識別子を取得するための手段と、
前記第１の事前登録ゾーン識別子に関連付けられたゾーン識別子を含む２次事前登録ゾーン・リストを取得するための手段と、
前記第１の事前登録ゾーン識別子と前記２次事前登録ゾーン・リストとを、前記アクセス・ポイントによってカバーされるセル中の１つまたは複数のアクセス端末に広告するための手段と、
を備え、
前記第１のアクセス・ネットワークの前記アクセス・ポイントを介した第２のアクセス・ネットワークへの新たな事前登録が必要とされるかどうかを判断するために、前記第１の事前登録ゾーン識別子と前記２次事前登録ゾーン・リストとが、前記アクセス・ポイントによってカバーされるセル中の受信アクセス端末によって利用されるアクセス・ポイント。
【請求項２８】
前記第１のアクセス・ネットワークから事前登録インジケータを取得するための手段と、
前記アクセス・ポイントによってカバーされるセル内で動作しているアクセス端末から第２のアクセス・ネットワークへの事前登録要求を受信するための手段と、
前記事前登録インジケータがそのような事前登録が許可されることを示す場合、前記事前登録要求を前記第２のアクセス・ネットワークにルーティングするための手段と
をさらに備える請求項２７に記載のアクセス・ポイント。
【請求項２９】
第１のアクセス・ネットワークのネットワーク・サーバにおいて動作可能な方法であって、
第１のアクセス・ネットワーク中の複数のセルを１つまたは複数のセル・グループにグループ化することと、
第１のセル・グループを第１の事前登録ゾーンに関連付けることと、
前記第１の事前登録ゾーンを除く、前記第１の事前登録ゾーンのための２次ゾーン・リストを生成することと、
前記第１の事前登録ゾーンと前記２次ゾーン・リストとを前記第１のセル・グループのための前記セル内のアクセス・ポイントに配信することと、
を備え、
前記第１のアクセス・ネットワークを介した第２のアクセス・ネットワークへの新たな事前登録が必要とされるかどうかを判断するために、前記第１の事前登録ゾーンと前記２次ゾーン・リストとが受信アクセス端末によって利用される方法。
【請求項３０】
前記事前登録インジケータを配信することと、
アクセス端末が前記第１のアクセス・ネットワークを介して第２のアクセス・ネットワークに事前登録することを前記第１のアクセス・ネットワークが許可するかどうかに基づいて、事前登録インジケータを生成することと、
をさらに備える請求項２９に記載の方法。
【請求項３１】
第１のアクセス・ネットワーク内のアクセス・ポイントと通信するためのネットワーク内インターフェースと、
第２のアクセス・ネットワークと通信するためのネットワーク間インターフェースと、
前記ネットワーク内インターフェースと前記ネットワーク間インターフェースとに結合された処理回路であって、
第１のアクセス・ネットワーク中の複数のセルを１つまたは複数のセル・グループにグループ化することと、
第１のセル・グループを第１の事前登録ゾーンに関連付けることと、
前記第１の事前登録ゾーンを除く、前記第１の事前登録ゾーンのための２次ゾーン・リストを生成することと、
前記第１の事前登録ゾーンと前記２次ゾーン・リストとを前記第１のセル・グループのための前記セル内のアクセス・ポイントに配信することと、
を行うように適合された処理回路と、
を備え、
前記第１のアクセス・ネットワークを介した第２のアクセス・ネットワークへの新たな事前登録が必要とされるかどうかを判断するために、前記第１の事前登録ゾーンと前記２次ゾーン・リストとが受信アクセス端末によって利用されているネットワーク・サーバ。
【請求項３２】
前記第１のアクセス・ネットワークを介した前記第２のアクセス・ネットワークへの新たな事前登録が必要とされるかどうかを判断するために、前記第１の事前登録ゾーンと前記２次ゾーン・リストとが受信アクセス端末によって利用される請求項３１に記載の方法。
【請求項３３】
第１のアクセス・ネットワーク中の複数のセルを１つまたは複数のセル・グループにグループ化するための手段と、
第１のセル・グループを第１の事前登録ゾーンに関連付けるための手段と、
前記第１の事前登録ゾーンを除く、前記第１の事前登録ゾーンのための２次ゾーン・リストを生成するための手段と、
前記第１の事前登録ゾーンと前記２次ゾーン・リストとを前記第１のセル・グループのための前記セル内のアクセス・ポイントに配信するための手段と、
を備え、
前記第１のアクセス・ネットワークを介した第２のアクセス・ネットワークへの新たな事前登録が必要とされるかどうかを判断するために、前記第１の事前登録ゾーンと前記２次ゾーン・リストとが受信アクセス端末によって利用されているネットワーク・サーバ。
【請求項３４】
第１のアクセス・ネットワーク内にアクセス・ポイントと事前登録ゾーンとを展開するための方法であって、
アクセス・ポイントの第１のグループから第１の事前登録ゾーン識別子を広告することと、
アクセス・ポイントの第２のグループから第２の事前登録ゾーン識別子を広告することと、
アクセス・ポイントの前記第１のグループとアクセス・ポイントの前記第２のグループとの間に境界ゾーンを形成するようにアクセス・ポイントの第３のグループを展開することと、
アクセス・ポイントの前記第３のグループから第３の事前登録ゾーン識別子を広告することと、および
アクセス・ポイントの前記第３のグループから２次事前登録ゾーン・リスト中の前記第１の事前登録ゾーン識別子と前記第２の事前登録ゾーン識別子とを広告することと、
を備える方法。
【請求項３５】
前記２次事前登録ゾーン・リストが前記第３の事前登録ゾーン識別子を除く、請求項３４に記載の方法。
【請求項３６】
前記第１の事前登録ゾーン識別子をアクセス・ポイントの前記第１のグループに割り当てることと、
前記第２の事前登録ゾーン識別子をアクセス・ポイントの前記第２のグループに割り当てることと、
前記第３の事前登録ゾーン識別子をアクセス・ポイントの前記第３のグループに割り当てることと、
をさらに備える請求項３４に記載の方法。
【請求項３７】
前記第１の事前登録ゾーン識別子と、第１の事前登録ゾーン識別子と、前記第３の事前登録ゾーン識別子とが同じゾーン識別子である請求項３４に記載の方法。
【請求項３８】
アクセス端末においてコンピュータによって実行されるプログラムを格納するコンピュータ可読記録媒体であって、前記プログラムは、
前記アクセス端末によって第１のアクセス・ネットワークを介して第２のアクセス・ネットワークへの事前登録が実行された後に、タイマーを開始するコードと、
アボート状態が発生しない限り、前記タイマーの満了より前の前記第２のアクセス・ネットワークへの追加の事前登録を防ぐコードであって、サービングセル信号品質が信号品質しきい値を下回るときに前記アボート状態が発生する、事前登録を防ぐコードと、
アボート状態が発生した場合、前記タイマーの前記満了より前に第２の事前登録を実行するコードと、
を備えるコンピュータ可読記録媒体。
【発明の詳細な説明】
【技術分野】
【０００１】
この出願の１つの特徴は、第１のネットワークにおいて動作している間の第２のネットワークへの事前登録を可能にすることによって、第１のネットワークから第２のネットワークへのワイヤレス通信ハンドオフを容易にすることに関する。より詳細には、少なくとも１つの特徴は、いつ事前登録を開始することができるかを制限するヒステリシス・タイマーを利用することによって事前登録試みを最小限に抑え、それによってアクセス端末の電力リソースを節約することに関する。さらに、第１のアクセス・ネットワーク中の第１のアクセス・ポイントから第２のアクセス・ポイントに切り替わるときに、いつ事前登録をスキップまたは回避することができるかをよりインテリジェントに判断するために、第１のネットワーク中のアクセス・ポイントを事前登録ゾーンおよび／または２次事前登録ゾーン・リストに関連付けることができる。
【０００２】
米国特許法第１１９条に基づく優先権の主張
本特許出願は、本出願の譲受人に譲渡され、参照により本明細書に明確に組み込まれる、２００８年９月２３日に出願された「Method and Apparatus for Handling Pre-registration Attempts by Mobile Device by Employing Hysteresis Timer; Methods and Apparatuses for Deploying Pre-registration Zones to Reduce Successive Pre-registrations」と題する米国仮出願第６１／０９９，４９８号の優先権を主張する。
【背景技術】
【０００３】
競合するワイヤレス通信ネットワークはしばしば異なる通信規格を実装する。いくつかの例では、コア・ネットワークでさえ、異なるゾーンまたは領域において異なるワイヤレス通信技術および／または規格を実装することがある。ワイヤレス・アクセス端末は高度にモバイルであるので、それらの端末は、異なるワイヤレス通信ネットワークによってサービスされる、ならびに／あるいは異なる通信技術および／または規格を実装する、ゾーンまたは領域を移動する傾向がある。場合によっては、第１の通信規格を使用するネットワーク上で一般に通信するワイヤレス・アクセス端末が、異なる第２の通信規格で動作するワイヤレス通信ネットワークによってサービスされる領域に入ることがある。アクセス端末は、アクセス端末が異なるプロトコルまたは規格を実装する異なる通信システム間で切り替わることを可能にするデュアル・モードまたはマルチ・モード通信機能を含むことができる。これにより、（たとえば、第１の通信規格を使用する）第１のタイプのネットワーク上で通常動作するワイヤレス・アクセス端末は、（たとえば、第２の通信規格を使用する）第２のタイプのネットワーク上で動作することが可能になる。たとえば、アクセス端末が様々なタイプのネットワーク、たとえば、３ＧＰＰ２ Evolved High Rate Packet Data（ｅＨＲＰＤ）ネットワークおよび（Long Term Evolution（ＬＴＥ）としても知られる）３ＧＰＰ Evolved Universal Terrestrial Radio Access（Ｅ−ＵＴＲＡ）にわたって通信することを可能にするために、アクセス端末は２つ以上の通信モジュールを含むことができる。アクセス端末は、異なる通信プロトコルまたは規格を実装する新たな領域またはゾーンに入ると、その新たな領域またはゾーンのための通信プロトコルまたは規格に適合する通信モジュール上で動作するように切り替わる。ｅＨＲＰＤはＣＤＭＡ２０００規格においてサポートされ得ることに留意されたい。
【０００４】
運搬および／または使用が容易なように、アクセス端末はますます小さくなるとともに、処理リソースは大きくなる。しかしながら、アクセス端末は、それらのモビリティおよびサイズのために、限られたサイズおよび／またはエネルギー蓄積量の電力源（たとえば、バッテリー、電池、電源、充電式バッテリーパックなど）によって電力供給される傾向がある。したがって、アクセス端末の動作は、そのデュアル・モードまたはマルチ・モード機能を含めて、電力源の再充電間のアクセス端末の動作時間を延長するために厳密に監視され得る。
【０００５】
したがって、アクセス端末が限られた電力リソースを節約しながら様々なタイプの通信ネットワーク間で切り替わることを可能にする方法が必要である。
【発明の概要】
【０００６】
１つの特徴は、不要な事前登録試みを回避するように構成されたアクセス端末、および／またはそのアクセス端末中で動作可能な方法を提供する。アクセス端末は、処理回路に結合されたワイヤレス通信インターフェースを含むことができる。ワイヤレス通信インターフェースは、第１のアクセス・ネットワークおよび第２のアクセス・ネットワークにわたって通信するためのマルチ・モード機能を与えることができる。ワイヤレス通信インターフェースは、常時、第１のアクセス・ネットワークおよび第２のアクセス・ネットワークのうちのただ１つと通信することができる。処理回路は、（ａ）アクセス端末によって第１のアクセス・ネットワークを介して第２のアクセス・ネットワークへの事前登録が実行された後に、タイマーを開始すること、（ｂ）アボート状態が発生しない限り、タイマーの満了より前の第２のアクセス・ネットワークへの追加の事前登録を防ぐこと、および／または（ｂ）アボート状態が発生する場合、タイマーの満了より前に第２の事前登録を実行することを行うように適合できる。アボート状態は、たとえば、（ａ）サービングセル信号品質が信号品質しきい値を下回るとき、および／または（ｂ）第１のアクセス・ネットワークから第２のアクセス・ネットワークへの切迫したハンドオフの指示が取得されたとき、発生することがある。タイマーは、アクセス端末による事前登録試み間の時間を延長するように固定の持続時間を有することができる。一例では、タイマーはヒステリシス・タイマーとすることができる。
【０００７】
処理回路は、第１のアクセス・ネットワークが第２のアクセス・ネットワークへの事前登録を許可するかどうかを判断するようにさらに適合できる。たとえば、事前登録インジケータと第１の事前登録ゾーン識別子とが、第１のアクセス・ネットワークの第１のサービング・アクセス・ポイントからアクセス端末によって受信され得る。事前登録インジケータは、第１のアクセス・ネットワークが第２のアクセス・ネットワークへの事前登録を許可するかどうかを判断するために使用できる。アクセス端末は、第１のアクセス・ポイントに関連付けられた受信した第１の事前登録ゾーンを記憶することができる。さらに、アクセス端末はまた、第１の事前登録ゾーンに関連付けられた２次事前登録ゾーン・リストを受信することができる。アクセス端末が第１のアクセス・ネットワーク内の第１のサービング・アクセス・ポイントから第２のサービング・アクセス・ポイントに移動するとき、処理回路は、（ａ）第２のサービング・アクセス・ポイントのための第２の事前登録ゾーンを取得し、（ｂ）第２の事前登録ゾーンを第１の事前登録ゾーンと比較し、および／または（ｃ）第１の事前登録ゾーンと第２の事前登録ゾーンとが同じである場合、新たな事前登録を防ぐことができる。さらに、アクセス端末はまた、（ａ）第２のサービング・アクセス・ポイントのための２次事前登録ゾーン・リストを取得し、（ｂ）第１の事前登録ゾーンを２次事前登録ゾーン・リスト中の１つまたは複数のゾーンと比較し、および／または（ｃ）第１の事前登録ゾーンが２次事前登録ゾーン・リスト中で発見された場合、新たな事前登録を防ぐことができる。第１の事前登録ゾーンが第２の事前登録ゾーンおよび２次事前登録ゾーン・リスト中のゾーンとは異なる場合、第２のアクセス・ネットワークへの新たな事前登録は、第１のアクセス・ネットワークの第２のサービング・アクセス・ポイントを介して実行され得る。第１のアクセス・ネットワークと第２のアクセス・ネットワークとは異なるワイヤレス・ネットワークであることに留意されたい。一例では、第１のアクセス・ネットワークはLong Term Evolutionネットワークであり、第２のアクセス・ネットワークはEvolved High Rate Packet Dataネットワークである。事前登録は、第１のアクセス・ネットワークを介して通信トンネルを通して第２のアクセス・ネットワークと１つまたは複数のメッセージを交換することを含むことができる。第２のアクセス・ネットワークへのアクセス端末の事前登録は、遅延のない第１のアクセス・ネットワークと第２のアクセス・ネットワークとの間の後続の通信ハンドオフを可能にする。
【０００８】
別の特徴は、アクセス端末による不要な事前登録試みを回避するのを助けるように構成されたアクセス・ポイント、および／またはそのアクセス・ポイント中で動作可能な方法を提供する。アクセス・ポイントは、ワイヤレス・ネットワーク・インターフェース、ネットワーク・インターフェース、および／または処理回路を含むことができる。ワイヤレス・ネットワーク・インターフェースは、第１のアクセス・ネットワーク内のセル中のアクセス端末と通信するのに役立つことができる。ネットワーク・インターフェースは、第２のアクセス・ネットワークと通信するのに役立つことができる。処理回路は、ワイヤレス・ネットワーク・インターフェースとネットワーク・インターフェースとに結合できる。処理回路は、（ａ）第１のアクセス・ネットワーク内のアクセス・ポイントのグループを識別する第１の事前登録ゾーン識別子を取得すること、（ｂ）第１の事前登録ゾーン識別子に関連付けられたゾーン識別子を含む２次事前登録ゾーン・リストを取得すること、および／または（ｃ）第１の事前登録ゾーン識別子と２次事前登録ゾーン・リストとを、アクセス・ポイントによってカバーされるセル中の１つまたは複数のアクセス端末に広告することを行うように適合できる。さらに、処理回路は、（ａ）第１のアクセス・ネットワークから事前登録インジケータを取得すること、（ｂ）アクセス・ポイントによってカバーされるセル内で動作しているアクセス端末から第２のアクセス・ネットワークへの事前登録要求を受信すること、および／または（ｃ）事前登録インジケータがそのような事前登録が許可されることを示す場合、事前登録要求を第２のアクセス・ネットワークにルーティングすることを行うようにさらに適合できる。第１のアクセス・ネットワークのアクセス・ポイントを介した第２のアクセス・ネットワークへの新たな事前登録が必要とされるかどうかを判断するために、第１の事前登録ゾーン識別子と２次事前登録ゾーン・リストとが、アクセス・ポイントによってカバーされるセル中の受信アクセス端末によって利用される。
【０００９】
別の特徴は、アクセス端末による不要な事前登録試みを回避するのを助けるように構成された第１のアクセス・ネットワークのネットワーク・サーバ、および／またはそのネットワーク・サーバ中で動作可能な方法を提供する。ネットワーク・サーバは、ネットワーク内インターフェース、ネットワーク間インターフェース、および／またはネットワーク内インターフェースとネットワーク間インターフェースとに結合された処理回路を含むことができる。ネットワーク内インターフェースは、第１のアクセス・ネットワーク内のアクセス・ポイントと通信するのに役立つことができる。ネットワーク間インターフェースは、第２のアクセス・ネットワークと通信するのに役立つことができる。処理回路は、（ａ）第１のアクセス・ネットワーク中の複数のセルを１つまたは複数のセル・グループにグループ化すること、（ｂ）第１のセル・グループを第１の事前登録ゾーンに関連付けること、（ｃ）第１の事前登録ゾーンを除く、第１の事前登録ゾーンのための２次ゾーン・リストを生成すること、および／または（ｄ）第１の事前登録ゾーンと２次ゾーン・リストとを第１のセル・グループのためのセル内のアクセス・ポイントに配信することを行うように適合できる。第１のアクセス・ネットワークを介した第２のアクセス・ネットワークへの新たな事前登録が必要とされるかどうかを判断するために、第１の事前登録ゾーンと２次ゾーン・リストとが受信アクセス端末によって利用される。ネットワーク・サーバはまた、（ａ）事前登録インジケータを配信し、および／または（ｂ）アクセス端末が第１のアクセス・ネットワークを介して第２のアクセス・ネットワークに事前登録することを第１のアクセス・ネットワークが許可するかどうかに基づいて、事前登録インジケータを生成することができる。
【００１０】
さらに別の特徴は、第１のアクセス・ネットワーク内にアクセス・ポイントと事前登録ゾーンとを展開するための方法を提供する。第１の事前登録ゾーン識別子がアクセス・ポイントの第１のグループに割り当てられる。第２の事前登録ゾーン識別子がアクセス・ポイントの第２のグループに割り当てられる。第３の事前登録ゾーン識別子がアクセス・ポイントの第３のグループに割り当てられる。第１の事前登録ゾーン識別子は、アクセス・ポイントの第１のグループから、または第１のグループによって広告される。第２の事前登録ゾーン識別子は、アクセス・ポイントの第２のグループから、または第２のグループによって広告される。アクセス・ポイントの第３のグループは、アクセス・ポイントの第１のグループとアクセス・ポイントの第２のグループとの間に境界ゾーンを形成するように展開される。第３の事前登録ゾーン識別子は、アクセス・ポイントの第３のグループから、または第３のグループによって広告される。２次事前登録ゾーン・リスト中の第１の事前登録ゾーン識別子と第２の事前登録ゾーン識別子とは、アクセス・ポイントの第３のグループから、または第３のグループよって広告される。２次事前登録ゾーン・リストは第３の事前登録ゾーン識別子を除くことに留意されたい。一実装形態では、第１の事前登録ゾーン識別子と、第１の事前登録ゾーン識別子と、第３の事前登録ゾーン識別子とは、同じゾーン識別子であるとすることができる。
【図面の簡単な説明】
【００１１】
【図１】デュアル・モードまたはマルチ・モード・アクセス端末が動作することができるネットワーク環境の一例を示すブロック図。
【図２】アクセス端末による事前登録シナリオの第１の例を示すブロック図。
【図３】アクセス端末による事前登録シナリオの第２の例を示すブロック図。
【図４】どのくらいしばしばまたは頻繁に事前登録プロセスを開始することができるかを制限するために、アクセス端末がどのようにタイマーを使用することができるかの第１の例を示す図。
【図５】どのくらいしばしばまたは頻繁に事前登録プロセスを開始することができるかを制限するために、アクセス端末がどのようにタイマーを使用することができるかの第２の例を示す図。
【図６】事前登録ヒステリシス・タイマーを実装するように構成できるアクセス端末の一例を示すブロック図。
【図７】事前登録ヒステリシス・タイマーを実装するようにアクセス端末において動作可能な方法を示す図。
【図８】事前登録タイマーを実装するようにアクセス端末において動作可能な別の方法を示す図。
【図９】第１のアクセス・ネットワーク内のゾーン展開に従って事前登録を実装するようにアクセス端末において動作可能な方法を示す図。
【図１０】アクセス端末による頻繁な事前登録要求を最小限に抑えるために、事前登録ゾーンをどのように定義または構成することができるかの一例を示す図。
【図１１】アクセス端末による頻繁な事前登録要求を最小限に抑えるために、事前登録ゾーンをどのように定義または構成することができるかの別の例を示す図。
【図１２】アクセス端末による頻繁な事前登録要求を最小限に抑えるために、事前登録ゾーンをどのように定義または構成することができるかのさらに別の例を示す図。
【図１３】アクセス端末による頻繁な事前登録要求を最小限に抑えるために、事前登録ゾーンをどのように定義または構成することができるかのさらに別の例を示す図。
【図１４】事前登録ゾーンおよび／または２次事前登録ゾーン・リストを第１のアクセス・ネットワーク内のセルに割り振るように第１のアクセス・ネットワーク内で動作することができるネットワーク・サーバの一例を示すブロック図。
【図１５】事前登録ゾーンおよび／または２次事前登録ゾーン・リストを第１のアクセス・ネットワーク内のセルに割り振るようにネットワーク・サーバにおいて動作可能である方法の一例を示す図。
【図１６】第１のアクセス・ネットワーク内で動作しているアクセス端末による事前登録試みの数を低減するために、第１のアクセス・ネットワーク内の複数のアクセス・ポイントをどのように編成することができるかの一例を示す図。
【図１７】第１のアクセス・ネットワーク内の事前登録ゾーンおよび／または２次事前登録ゾーン・リストを配信するように第１のアクセス・ネットワーク内で動作することができるアクセス・ポイントの一例を示すブロック図。
【図１８】事前登録情報をアクセス端末に配信するようにアクセス・ポイントにおいて動作可能な方法を示す図。
【発明を実施するための形態】
【００１２】
以下の説明では、実施形態の十分な理解が得られるように具体的な詳細を与える。ただし、これらの実施形態は、これらの具体的な詳細なしに実施できることを、当業者なら理解されよう。たとえば、これらの実施形態を不必要な詳細において不明瞭にしないために、回路をブロック図で示すか、またはまったく示さないことがある。他の場合では、これらの実施形態を不明瞭にしないために、よく知られている回路、構造、および技法を詳細に図示しないことがある。
【００１３】
概観
１つの特徴は、不要なネットワーク事前登録動作を回避することによって電力を節約するように構成されたアクセス端末に関する。一例では、アクセス端末は、少なくとも第１のアクセス・ネットワークおよび第２のアクセス・ネットワークにおいて動作するように適合できる。第１のアクセス・ネットワーク（たとえば、ＬＴＥネットワーク）から第２のアクセス・ネットワーク（たとえば、ｅＨＲＰＤネットワーク）に通信またはサービスを円滑にハンドオーバするために、アクセス端末は第２のアクセス・ネットワークに事前登録することができる。この事前登録プロセスは、１つまたは複数のワイヤレス送信に関与し、異なるネットワークおよび／または特定のネットワーク内のアクセス・ポイントによってカバーされる領域またはセルにわたるアクセス端末の移動に応じて複数回繰り返すことができる。不要または頻繁な事前登録プロセスは、アクセス端末のかなりの電力リソースを消費することがある。アクセス端末は、いつ事前登録プロセスを開始することができるかを制限するヒステリシス・タイマーを実装することによって、そのような頻繁および／または不要な事前登録試みを回避することができる。ヒステリシス・タイマーは、固定の持続時間を有し、アクセス端末によって事前登録が開始されたときに開始される。ヒステリシス・タイマーが満了していない場合、新たな事前登録試みは許可されない。しかしながら、アボートイベントまたは状態により、ヒステリシス・タイマーが早くにアボートされ、アクセス端末によって新たな事前登録が開始されることがある。
【００１４】
別の特徴は、アクセス端末が頻繁または連続する事前登録を実行する必要性を最小限に抑えるかまたはなくす様々な展開方法を提供する。特に、第１のアクセス・ネットワーク中のアクセス・ポイントは１つまたは複数の事前登録ゾーンにグループ化される。アクセス端末が第１のアクセス・ネットワーク内の第１のアクセス・ポイントから第２のアクセス・ポイントに移動する場合、第１のアクセス・ポイントと第２のアクセス・ポイントとが同じ事前登録ゾーンを有するか、または第２のアクセス・ポイントが２次事前登録ゾーン・リストを通して第１のアクセス・ポイントのための事前登録ゾーンを知っているならば、新たな事前登録はスキップまたは回避される。
【００１５】
例示的なネットワーク環境
図１は、デュアル・モードまたはマルチ・モード・アクセス端末が動作することができるネットワーク環境の一例を示すブロック図である。ネットワーク環境は、第１のアクセス・ネットワーク１０４（たとえば、ＬＴＥネットワーク）と第２のアクセス・ネットワーク１０６（たとえば、ｅＨＲＰＤネットワーク）との間の通信を結合および／または可能にするコア・ネットワーク１０２を含むことができる。コア・ネットワーク１０２は、単に、第１のネットワーク１０４と第２のネットワーク１０６との間の通信をルーティングするゲートウェイまたはネットワーク・インフラストラクチャとすることができる。第１のネットワーク１０４と第２のネットワーク１０６とは、異なる通信プロトコルおよび／または規格を実装する異なるネットワークとすることができる。
【００１６】
この例では、アクセス端末１０８は、アンテナ１１０を介して第１のアクセス・ネットワーク１０４からワイヤレス通信サービスを受けている。アクセス端末１０８は、第１の通信モジュール１１４（たとえば、ＬＴＥ通信モジュール）と第２の通信モジュール１１６（たとえば、ｅＨＲＰＤ通信モジュール）とを含むマルチ・モード・アクセス端末とすることができる。アクセス端末１０８は、異なる通信プロトコルおよび／または規格に準拠する追加の通信モジュールを含むことができることに留意されたい。スイッチ１１２は、アンテナ１１０を、選択された通信モジュールに結合するように構成できる。
【００１７】
第１のアクセス・ネットワーク１０４から第２のアクセス・ネットワーク１０６へのサービスの円滑なハンドオーバを可能にするために、アクセス端末１０８は、第１のアクセス・ネットワーク１０４を介して依然として通信している間に、第２のアクセス・ネットワーク１０６に事前登録するように適合できる。すなわち、アクセス端末１０８が第２のアクセス・ネットワーク１０６の及ぶ範囲内に来るまで待つ代わりに、アクセス端末１０８へのサービスを最小の中断で、および／または中断することなしに、将来の遷移を透過的にするために、第２のアクセス・ネットワーク１０６に事前登録する。
【００１８】
第２のアクセス・ネットワーク１０６がｅＨＲＰＤネットワークである一例では、第２のアクセス・ネットワーク１０６に登録するプロセスは、アクセス端末１０８が、（たとえば、第１の通信モジュール１１４またはＬＴＥモジュールを介して）第１のアクセス・ネットワーク１０４に依然として接続されている間のアクセス端末１０８とｅＨＲＰＤネットワークとの間のいくつかのメッセージの交換に関与する。ｅＨＲＰＤネットワークはＥＵＴＲＡＮまたはＬＴＥネットワーク１０４と同じコア・ネットワーク１０２を共有することができ、このコア・ネットワーク１０２はEnhanced Packet Core（ＥＰＣ）と呼ぶことができることに留意されたい。
【００１９】
メッセージのこの交換には数秒を要することがある。第１のアクセス・ネットワーク１０４と第２のアクセス・ネットワーク１０６との間のより速いハンドオフを可能にするために、アクセス端末１０８は、（たとえば、無線で）第１のアクセス・ネットワーク１０４に結合されている間に第２のアクセス・ネットワーク１０６に登録する。無線で第２のアクセス・ネットワーク１０６に実際に接続するより前に第２のアクセス・ネットワーク１０６に登録するこのプロシージャは、「事前登録」と呼ばれる。一例では、事前登録は、第１のアクセス・ネットワーク１０４を介して、第２のアクセス・ネットワーク１０６との間で、アクセス端末１０８から事前登録通信トンネル１１８を介して行われることができる。事前登録はハンドオフまたはオンザフライ後すぐのセッション確立、ＩＰコンテキスト作成および認証を含む登録プロシージャを実行する必要性をなくし、それによってサービス中断を最小限に抑え、ユーザエクスペリエンスを改善する。
【００２０】
一実装形態では、第１のアクセス・ネットワーク（たとえば、ＬＴＥネットワーク）において動作しているアクセス端末１０８による事前登録は、第１のアクセス・ネットワーク１０４中のサービング・アクセス・ポイント（たとえば、基地局など）によって広告された事前登録ゾーンによって管理できる。いくつかの実装形態では、事前登録ゾーンは、第１のアクセス・ネットワークまたは第２のアクセス・ネットワーク中のセルまたはセルのグループに対応し得る。たとえば、事前登録ゾーンは、１つまたは複数の無線アクセス・ネットワークあるいはそのようなネットワーク内のセルのグループの任意の論理的または地理的集合に対応し得る。一例では、第１のアクセス・ネットワーク１０４中のサービング・アクセス・ポイント（たとえば、ＬＴＥ基地局）によって広告された事前登録ゾーンは、第２のアクセス・ネットワーク１０６（たとえば、ｅＨＲＰＤネットワーク）中の１つまたは複数のアクセス・ポイント１２８（たとえば、基地局）のグループに対応し得る。アクセス・ポイント１２８（たとえば、ｅＨＲＰＤ基地局）のそのような集合は、サブネット（たとえば、ｅＨＲＰＤサブネット）と呼ぶことができる。
【００２１】
いくつかの例では、アクセス端末１０８は、第１のアクセス・ネットワーク１０４の第１の領域１２２をカバーしている第１のアクセス・ポイント１２０と第２の領域１２６をカバーしている隣接する第２のアクセス・ポイント１２４との間で移動するか、またはサービスを切り替えることができる。しかしながら、第１のアクセス・ポイント１２０と第２のアクセス・ポイント１２４とは、異なる事前登録ゾーンを広告していることがある。したがって、アクセス端末１０８が（たとえば、不良セルパラメータ構成、迅速に変化する無線状態、またはアクセス端末の軌道／移動のいずれかにより）第１のアクセス・ポイント１２０と第２のアクセス・ポイント１２４との間で相互に切り替わるとき、アクセス端末は、複数の連続する事前登録試みを行うことができる。事前登録プロシージャは、アクセス端末１０８と第２のアクセス・ネットワーク１０６との間でいくつかのメッセージを交換することに潜在的に関与するので、間断なく複数の事前登録試みを実行することは、電力消費、ならびに無線リソース消費に関して極めて費用がかかることがわかる。しかしながら、アクセス端末１０８は、間断のない複数の事前登録試みを低減するかまたは防ぐことによって、この問題に対処するように構成できる。
【００２２】
アクセス端末１０８は、いくつかのファクタまたは情報に基づいて事前登録プロセスをいつ開始すべきか判断することができる。たとえば、第１のアクセス・ネットワーク１０４において動作しているアクセス端末１０８は、そのサービング・アクセス・ポイント１２０または１２４から以下の情報を学習、取得、および／または受信することができる。
【００２３】
・第１のサービング・アクセス・ネットワーク１０４を通した第２のアクセス・ネットワーク１０６への事前登録が許可されるかどうかを示す「事前登録インジケータ」、
・現在の「事前登録ゾーン」、
・「２次事前登録ゾーン・リスト」。
【００２４】
アクセス端末１０８は、事前登録プロセスを開始すべきかどうかを判断するために事前登録インジケータ、事前登録ゾーン、および／または２次事前登録ゾーン・リストを利用することができる。
【００２５】
アクセス端末１０８は、第２のアクセス・ネットワーク１０６に事前登録していなかった場合、第１のサービング・アクセス・ネットワーク１０４が第２のアクセス・ネットワーク１０６への事前登録を許可することを学習すると、事前登録を実行する。
【００２６】
このアクセス端末１０８は、第２のアクセス・ネットワーク１０６に事前登録していた場合、事前登録を以前に実行した事前登録ゾーンを呼び戻し、それを第１のアクセス・ネットワーク１０４中の現在のサービング・アクセス・ポイント１２０または１２４によって広告された「事前登録ゾーン」および「２次事前登録ゾーン・リスト」と比較する。アクセス端末１０８が以前に事前登録した事前登録ゾーンが、サービング・アクセス・ポイント１２０または１２４によって広告された「事前登録ゾーン」、または「２次事前登録ゾーン・リスト」に記載されたゾーンのうちの１つに一致する場合、アクセス端末１０８は事前登録をさらに実行しない。「事前登録ゾーン」または「２次事前登録ゾーン・リスト」のいずれにも一致が発見されない場合、アクセス端末１０８は事前登録を再び実行する。
【００２７】
図２は、アクセス端末による事前登録シナリオの第１の例を示すブロック図である。例示のために、この例は、アクセス端末１０８ならびに図１の第１のアクセス・ネットワーク１０４のアクセス・ポイント１２０および１２４を使用する。さらに、この例は、どのようにネットワーク・セルをゾーンＡ２０２、Ｂ２０４、Ｃ２０６、およびＤ２０８に論理的にグループ化することができるかを示す。図１０〜図１３は、どのようにゾーンを定義することができるかの様々な他の例を示すことに留意されたい。最初に、アクセス端末１０８は、第１のアクセス・ポイントＡＰ−１  １２０によってカバーされる第１の領域またはセル１２２中で電源投入することができる。第１のアクセス・ポイントＡＰ−１  １２０と通信することによって、第１のアクセス端末１０８は、事前登録が許可されると判断する。したがって、アクセス端末１０８は、（図１中の）第２のアクセス・ネットワーク１０６に事前登録し、この例ではアクセス・ポイントＡＰ−１  １２０のためのゾーンＡである事前登録ゾーンを記憶する。次いで、アクセス端末１０８は、第２のアクセス・ポイントＡＰ−２  １２４によってカバーされる第２の領域またはセル１２６に移動する。アクセス端末１０８’は、事前登録が第２のアクセス・ポイントＡＰ−２  １２４によって許可されると判断する。アクセス端末１０８’は、前に事前登録したので、事前登録を以前に実行した場所、この例ではゾーンＡを呼び戻す。次いで、アクセス端末１０８’は、前のゾーン、すなわち、ゾーンＡを、第２のアクセス・ポイントＡＰ−２  １２４によって広告された事前登録ゾーン（すなわち、ゾーンＢ）および２次事前登録ゾーン・リスト（ゾーンＡ、Ｃ、およびＤ）と比較する。この例では、アクセス端末１０８’がその事前登録を以前に実行した事前登録ゾーン（ゾーンＡ）は、新たな事前登録ゾーン（ゾーンＢ）と異なる。したがって、次いでアクセス端末１０８’は、前の事前登録ゾーン（ゾーンＡ）が、第２のアクセス・ポイントＡＰ−２  １２４のための２次事前登録ゾーン・リスト（ゾーンＡ、Ｃ、およびＤ）に記載されたゾーンのうちの１つに一致するかどうかを確認する。この例では、前の事前登録ゾーン（ゾーンＡ）は２次事前登録ゾーン・リスト中で発見され、したがって、アクセス端末は事前登録プロセスを繰り返さない。
【００２８】
アクセス端末１０８’は、その後、その最後の事前登録したゾーン（ゾーンＡ）が広告された事前登録ゾーン（ゾーンＡ）に一致すると判断した場合、第１の領域またはセル１２２に戻ることができる。したがって、アクセス端末１０８’’は事前登録をさらに実行する必要がない。
【００２９】
図３は、アクセス端末による事前登録シナリオの第２の例を示すブロック図である。例示のために、この例は、アクセス端末１０８ならびに図１の第１のアクセス・ネットワーク１０４のアクセス・ポイント１２０および１２４を使用する。さらに、この例は、どのようにネットワーク・セルをゾーンＡ３０２、Ｂ３０４、Ｃ３０６、およびＤ３０８に論理的にグループ化することができるかを示す。図１０〜図１３は、どのようにゾーンを定義することができるかの様々な他の例を示すことに留意されたい。最初に、アクセス端末１０８は、第１のアクセス・ポイントＡＰ−１  １２０によってカバーされる第１の領域またはセル１２２中で電源投入することができる。第１のアクセス・ポイントＡＰ−１  １２０が事前登録を許可するので、アクセス端末１０８は、（図１中の）第２のアクセス・ネットワーク１０６に事前登録し、この例ではアクセス・ポイントＡＰ−１  １２０のためのゾーンＡである事前登録ゾーンを記憶する。次いで、アクセス端末１０８は、第２のアクセス・ポイントＡＰ−２  １２４によってカバーされる第２の領域またはセル１２６に移動する。アクセス端末１０８’は、事前登録が第２のアクセス・ポイントＡＰ−２  １２４によって許可されると判断する。アクセス端末１０８’は、前に事前登録したので、事前登録を以前に実行した場所、この例ではゾーンＡを呼び戻す。第２の領域またはセル１２６中にいる間、アクセス端末１０８は、第２のアクセス・ポイントＡＰ−２  １２４によって事前登録が許可されると学習する。アクセス端末１０８’は、前に事前登録したので、事前登録を実行した場所、この例ではゾーンＡを呼び戻す。次いで、アクセス端末１０８’は、この前の事前登録ゾーン（ゾーンＡ）を、第２のアクセス・ポイントＡＰ−２  １２４によって広告された事前登録ゾーン（ゾーンＢ）および２次事前登録ゾーン・リスト（ゾーンＣ、Ｄ）と比較する。アクセス端末１０８’が事前登録を以前に実行した事前登録ゾーン（ゾーンＡ）は、新たな事前登録ゾーン（ゾーンＢ）にも、２次事前登録ゾーン・リストに記載されたゾーン（ゾーンＣ、Ｄ）のいずれにも一致しないので、アクセス端末１０８’は事前登録を再び繰り返す。アクセス端末１０８’は、その最後の事前登録したゾーンをゾーンＢに更新する。アクセス端末１０８’は、その後、その最後の事前登録したゾーン（ゾーンＢ）が広告された事前登録ゾーン（ゾーンＡ）にも、２次事前登録ゾーン・リストに記載されたゾーン（ゾーンＣ、Ｄ）のいずれにも一致しないことを認識した場合、第１の領域またはセル１２２に戻ることができる。したがって、アクセス端末１０８’’は、第１のアクセス・ポイントＡＰ−１  １２０を介して事前登録を再び実行する。
【００３０】
アクセス端末は、（図３に示すものなど）”Error! Reference source not found.”領域またはセル間の境界を横切るときはいつでも、潜在的に間断なく複数の事前登録を実行する。これにより、不要な電力消費／バッテリー消耗および無線リソース浪費が生じることがある。
【００３１】
間断のない複数の事前登録を回避するために、アクセス端末１０８は、いつアクセス端末が新たな事前登録要求を開始または送信することができるかを制限するタイマーを使用するように適合できる。
【００３２】
例示的な事前登録ヒステリシス・タイマー
図４に、どのくらいしばしばまたは頻繁に事前登録プロセスを開始することができるかを制限するために、アクセス端末がどのようにタイマーを使用することができるかの第１の例を示す。例示のために、この例は、アクセス端末１０８ならびに図１の第１のアクセス・ネットワーク１０４のアクセス・ポイント１２０および１２４を使用する。第１のアクセス・ネットワーク１０４（図１）の第１のアクセス・ポイントＡＰ−１  １２０によってカバーされる第１の領域またはセル内で動作している間、アクセス端末１０８は、第１のアクセス・ポイントＡＰ−１  １２０のためのパラメータ４０２を受信することができる。これらのパラメータ４０２は、（ａ）第１のアクセス・ポイントＡＰ−１  １２０または第１のアクセス・ネットワークによって事前登録が許可されるかどうかのインジケータ、（ｂ）事前登録ゾーン、および／または（ｃ）２次事前登録ゾーン・リストを含むことができる。事前登録が許可されると判断すると、アクセス端末１０８は、第１のアクセス・ポイントＡＰ−１  １２０を介した事前登録４０４を開始することができる。事前登録４０４と同時に、アクセス端末１０８はヒステリシス・タイマーをも開始する４０６。アクセス端末１０８が第２のアクセス・ネットワークへの事前登録を実行するたびに、そのようなタイマーを開始することができる。アボート状態またはイベントが発生しない限り、ヒステリシス・タイマーが満了する４１２まで、第２の事前登録はアクセス端末１０８によって開始または実行されない。そのようなアボート状態またはイベントについて図５で論じる。
【００３３】
図４に示す例では、アクセス端末１０８は、第２のアクセス・ポイントＡＰ−２  １２４によってカバーされる第２の領域またはセルに移動する４０８。したがって、アクセス端末１０８は、第２のアクセス・ポイントＡＰ−１  １２４のためのパラメータ４１０を受信することができる。これらのパラメータ４１０は、（ａ）第２のアクセス・ポイントＡＰ−２  １２４または第１のアクセス・ネットワークによって事前登録が許可されるかどうかのインジケータ、（ｂ）事前登録ゾーン、および／または（ｃ）２次事前登録ゾーン・リストを含むことができる。しかしながら、事前登録を直ちに開始するのではなく、事前登録ヒステリシス・タイマーが満了する４１２まで、アクセス端末１０８は遅延する。ヒステリシス・タイマーが満了する４１２と、アクセス端末１０８は第２のアクセス・ポイントＡＰ−２  １２４を介した事前登録４１４を開始する。
【００３４】
図５に、どのくらいしばしばまたは頻繁に事前登録プロセスを開始することができるかを制限するために、アクセス端末がどのようにタイマーを使用することができるかの第２の例を示す。例示のために、この例は、アクセス端末１０８ならびに図１の第１のアクセス・ネットワーク１０４のアクセス・ポイント１２０および１２４を使用する。第１のアクセス・ネットワーク１０４（図１）の第１のアクセス・ポイントＡＰ−１  １２０によってカバーされる第１の領域またはセル内で動作している間、アクセス端末１０８は、第１のアクセス・ポイントＡＰ−１  １２０のためのパラメータ５０２を受信することができる。事前登録が許可されると判断すると、アクセス端末１０８は、第１のアクセス・ポイントＡＰ−１  １２０を介した事前登録５０４を開始することができる。事前登録５０４と同時に、アクセス端末１０８はヒステリシス・タイマーをも開始する５０６。アクセス端末１０８は、第２のアクセス・ポイントＡＰ−２  １２４によってカバーされる第２の領域またはセルに移動する５０８。したがって、アクセス端末１０８は、第２のアクセス・ポイントＡＰ−１  １２４のためのパラメータ５１０を受信することができる。この例では、ヒステリシス・タイマーの満了より前にトリガ・イベントまたはアボート状態が満たされたので５１２、ヒステリシス・タイマーの満了よりも早く事前登録が実行される。たとえば、アクセス端末１０８は、第１のサービング・アクセス・ポイント１  ＡＰ−１  １２０のための信号品質が信号品質しきい値よりも低下したことを検出することができ、それによってヒステリシス・タイマーをアボートし５１４、第２のアクセス・ポイントＡＰ−２  １２４を介した事前登録５１２を開始する。
【００３５】
一例では、タイマーを終了するアボート状態は、アクセス端末１０８が第１のアクセス・ネットワーク内の第１のアクセス・ポイント１２０から第２のアクセス・ポイント１２４に移動していることによるとすることができる。そのような決定は、たとえば、無線アクセス技術（ＲＡＴ）間測定基準が満たされていることに基づくことができる。ＲＡＴ間測定基準は、信号品質しきい値よりも低下したときの第１のサービング・アクセス・ポイント１  ＡＰ−１  １２０のための信号品質として定義できる。たとえば、信号品質のこの低下は、アクセス端末が第１のアクセス・ポイント１２０から第２のアクセス・ポイント１２４に移動したとき発生する場合がある。
【００３６】
別の例では、タイマーをアボートする決定は、第１のアクセス・ネットワークから第２のアクセス・ネットワークへの切迫した切替えまたはハンドオフの指示またはヒントに基づくとすることができる。たとえば、アクセス端末１０８は、サービスを第１のアクセス・ポイント１２０から第２のアクセス・ポイント１２４に移動したが、第２のアクセス・ポイント１２４を介した事前登録を実行すべきかどうかをまだ判断していないことがある。すなわち、アクセス端末１０８は、第２のアクセス・ポイント１２４に移動したが、（第２のアクセス・ポイント１２４を介した）有効な事前登録をまだ実行していない場合がある。しかも、有効な登録を行うことができるようにタイマーが満了する前に、アクセス端末は第２のアクセス・ネットワークに移動することがある。そのような状況では、アクセス端末１０８は、事前登録なしに第２のアクセス・ネットワーク１２４にサービスを切り替え、それによってハンドオフプロセスを遅延させる恐れがある。したがって、アクセス端末１０８が第１のアクセス・ネットワークから第２のアクセス・ネットワークへのハンドオフが差し迫っているか、可能性があるか、または起こりうると判断した（または教えられた）場合、タイマーが終了され（またはアボートされ）、事前登録が開始される。たとえば、これにより、第２のアクセス・ネットワークへのハンドオフが発生するより前に、アクセス端末１０８が第２のアクセス・ポイント１２４を介して事前登録することが可能になる。一例では、アクセス・ポイント１０８は、そのようなハンドオフが発生しようとしている、第１のアクセス・ネットワークまたは第２のアクセス・ネットワークのいずれかからインジケータ（たとえば、「ハンドオフの準備」メッセージ）を受信することができる。たとえば、第１のアクセス・ネットワークは、いくつかのアクセス端末を第２のアクセス・ネットワークに移動することによって、その負荷を低減することを望むことがある。したがって、第１のアクセス・ネットワークは、ハンドオフされるべきアクセス端末にメッセージを送信することができる。別の例では、第２のアクセス・ネットワークのみが利用可能であるアプリケーションを開始することなど、いくつかのユーザ行動から差し迫ったハンドオフを把握することができる。
【００３７】
例示的なアクセス端末
図６は、事前登録ヒステリシス・タイマーを実装するように構成できるアクセス端末の一例を示すブロック図である。アクセス端末６０２は、ワイヤレス通信インターフェース６０６に結合された処理回路６０４を含むことができる。ワイヤレス通信インターフェース６０６は、第１の通信モジュール６１４と第２の通信モジュール６１６とを含むことができ、第１の通信モジュール６１４と第２の通信モジュール６１６とは、様々なタイプのネットワーク（たとえば、ｅＨＲＰＤまたはＬＴＥ）および／または規格をもつワイヤレス通信を実装するように適合できる。たとえば、様々な実装形態では、通信モジュール６１４と通信モジュール６１６とは、同じまたは異なる周波数帯域／チャネル上で動作すること、ならびに／あるいは通信サービスを確立するおよび／またはワイヤレス送信／受信を実行する際に、異なるステップを実装することができる。特定のエリア、領域またはゾーン中のサービング・アクセス・ネットワークに応じて第１の通信モジュール６１４または第２の通信モジュール６１６のいずれかをアンテナ６２０に結合するために、スイッチ６１８が利用できる。１つの特徴によれば、処理回路６０４は、どのくらいしばしばまたはいつアクセス端末が事前登録要求を開始することができるかを制限するヒステリシス・タイマー６０８に結合できるか、またはそれを実装するように適合される。そのような事前登録要求は、非サービングネットワークへの現在のサービング・アクセス・ネットワークのサービス登録を介して実装でき、現在のサービングネットワークと非サービングネットワークとは、異なるワイヤレス通信規格を実装する。ただし、アクセス端末６０２はまた、ヒステリシス・タイマー６０８をその予想される終了の前に終了またはアボートするために使用できる１つまたは複数のトリガ・イベントを追跡するイベント検出器６１０を含むことができる。一例では、イベント検出器６１０は、（ａ）サービング・アクセス・ポイントのための信号品質が信号品質しきい値よりも低下したかどうかを検出すること、あるいは（ｂ）第１のアクセス・ネットワークから第２のアクセス・ネットワークへのハンドオフが差し迫っているか、または可能性があるかどうかを判断し、アクセス端末が第２のアクセス・ネットワークへの有効な事前登録がないと判断することができる。
【００３８】
そうである場合、処理回路６０４は、ヒステリシス・タイマーを終了することができ、そのパラメータを広告した最も近いアクセス・ポイントへの事前登録要求を開始する（たとえば、アクセス・ポイントがそれらのパラメータをブロードキャストする）。処理回路６０４はまた、現在のサービング・アクセス・ポイントのためのパラメータ（たとえば、事前登録ゾーン、２次事前登録ゾーン・リストなど）および／または、最も最近に受信されたアクセス・ポイント・パラメータを記憶することができるゾーン・パラメータ・ストレージ６１２に結合できる。アクセス端末６０２は、新たなサービング・アクセス・ポイントに変更するとき事前登録を開始する必要があるかどうかを判断するために、ゾーン・パラメータ・ストレージ６１２に記憶された情報を使用することができる。アクセス端末６０２は、新たに広告された事前登録ゾーンまたは新たに広告された事前登録ゾーン・リストに記載されたゾーンのいずれかに現在登録されている場合、新しいサービング・アクセス・ポイントへの事前登録を開始する必要はない。
【００３９】
図７に、事前登録ヒステリシス・タイマーを実装するようにアクセス端末において動作可能な方法を示す。アクセス端末は、事前登録インジケータと事前登録ゾーンとを含む、第１のアクセス・ネットワーク中の第１のアクセス・ポイントのための１つまたは複数のパラメータを受信する７０２。事前登録インジケータは、第１のアクセス・ポイントおよび／または第１のアクセス・ネットワークが第１のアクセス・ネットワークを介した第２のアクセス・ネットワークへの事前登録を許可するかどうかを示すことができる。事前登録ゾーンは、第２のアクセス・ネットワークへの登録のために一緒のグループである、第１のアクセス・ネットワークまたは第２のアクセス・ネットワークのいずれかの中の１つまたは複数の領域またはセルを示すことができる。パラメータはまた、２次事前登録ゾーン・リストを含むことができる。一例では、２次事前登録ゾーン・リストは、事前登録ゾーンに関連付けられたゾーンのリストとすることができる。たとえば、ゾーンＡは事前登録ゾーンとすることができ、２次事前登録ゾーン・リストはゾーンＣおよびＤを含むことができる。いくつかの例では、ゾーンＡ中のアクセス・ポイントは、ゾーンＣおよびＤを通して登録されたアクセス端末のための登録情報にアクセスできる。
【００４０】
受信した事前登録インジケータから、アクセス端末は、事前登録が第１のアクセス・ポイントおよび／または第１のアクセス・ネットワークによって許可されるかどうかを判断する７０４。事前登録が許可されない場合、プロセスは終了する。他の場合は、アクセス端末は、事前登録ゾーンに現在登録されているかどうかを判断する７０６。たとえば、第１のアクセス・ポイントによって広告された事前登録ゾーンがゾーンＡであり、アクセス端末が最後にゾーンＡに登録した場合、事前登録をスキップすることができ７０８、プロセスは終了する。他の場合は、アクセス端末は、第１のアクセス・ネットワークのための第１のアクセス・ポイントを介して（たとえば、事前登録要求を送信することによって）第２のアクセス・ネットワークへの事前登録を開始し、ここで、第１のアクセス・ネットワークと第２のアクセス・ネットワークとは異なるネットワークである７１０。事前登録を開始すると同時に、アクセス端末はまた、固定の持続時間を有する事前登録ヒステリシス・タイマーを開始する７１２。ヒステリシス・タイマーが動作している間（たとえば、満了する前に）、アクセス端末は、トリガ・イベントが発生したかどうかを判断するために監視する７１４。そのようなトリガ・イベントは、タイマー持続時間が満了する前にヒステリシス事前登録タイマーを終了またはアボートするために使用できる。一例では、第１のサービング・アクセス・ポイントのための信号品質が信号品質しきい値よりも低下したとき、トリガ・イベントが発生することがある。トリガ・イベントを検出し、ヒステリシス・タイマーをアボート／終了し７１６、ここで、アクセス端末が新たな領域に移動した場合、アクセス端末は、第１のアクセス・ネットワークのための現在利用可能なアクセス・ポイントを介した第２のアクセス・ネットワークへの新たな事前登録を開始する（たとえば、新たな事前登録要求を送信する）７１８。事前登録ヒステリシス・タイマーを再び開始し７１２、プロセスを繰り返す。
【００４１】
そうではなく、トリガ・イベントを検出しなかった７１４場合、アクセス端末は事前登録ヒステリシス・タイマーが満了したかどうかを判断する７２０。ヒステリシス・タイマーが満了した場合、アクセス端末は、第１のアクセス・ネットワークのための現在利用可能なアクセス・ポイントを介した第２のアクセス・ネットワークへの新たな事前登録を開始する（たとえば、新たな事前登録要求を送信する）７１８。
【００４２】
図８に、事前登録タイマーを実装するようにアクセス端末において動作可能な別の方法を示す。アクセス端末は、第１のアクセス・ネットワークが第２のアクセス・ネットワークへの事前登録を許可すると判断する８０２。したがって、アクセス端末は、第１のアクセス・ネットワークを介して第２のアクセス・ネットワークへの事前登録が実行された後に、タイマーを開始する８０４。事前登録が実行され、第１のアクセス・ネットワークと第２のアクセス・ネットワークとが互いに異なるとき、アクセス端末は第１のアクセス・ネットワーク内で動作していることがあることに留意されたい。アクセス端末は、アボート状態が発生したかまたは満たされたかどうかを断続的に判断する８０６。そのようなアボート状態が満たされた場合、アクセス端末は、タイマーの満了より前に第２の事前登録を実行する８０８。そうではなく、アボート状態が満たされなかった８０６場合、アクセス端子は、タイマーの満了より前の追加の事前登録を防ぐ８１０。タイマーが満了すると８１２、アクセス端末は第２の事前登録を実行する８１４。タイマーは、第２の事前登録後に再び再始動される。
【００４３】
図９に、第１のアクセス・ネットワーク内のゾーン展開に従って事前登録を実装するようにアクセス端末において動作可能な方法を示す。動作中、アクセス端末は第１のアクセス・ネットワーク中の第１のアクセス・ポイントから第２のアクセス・ポイントに移動し、ここで、第１のアクセス・ポイントは、第１のアクセス・ポイントに関連付けられた第１の事前登録ゾーンを有する９０２。次いで、アクセス端末は、第２のサービング・アクセス・ポイントのための第２の事前登録ゾーンを取得し９０４、第２のサービング・アクセス・ポイントのための２次事前登録ゾーン・リストを取得する９０６。
【００４４】
第２のサービング・アクセス・ポイントを介した事前登録を実行すべきかどうかを判断するために、アクセス端末は第２の事前登録ゾーンを第１の事前登録ゾーンと比較する９０８。第１の事前登録ゾーンと第２の事前登録ゾーンとが同じである場合、アクセス端末は新たな事前登録を防ぐかまたはスキップする。そうではなく、第１の事前登録ゾーンと第２の事前登録ゾーンとが異なる場合、アクセス端末は、第１の事前登録ゾーンを２次事前登録ゾーン・リスト中の１つまたは複数のゾーンと比較する９１０。第１の事前登録ゾーンが２次事前登録ゾーン・リスト中で発見された場合、新たな事前登録を防ぐかまたはスキップする９１４。他の場合は、第１のアクセス・ネットワークの第２のサービング・アクセス・ポイントを介して第２のアクセス・ネットワークへの新たな事前登録を実行する９１２。この方法は、図１０〜図１４に示す様々なタイプのゾーンにおいて実装できることに留意されたい。
【００４５】
例示的な事前登録ゾーン展開
他の特徴によれば、事前登録ゾーンは、間断なく複数の事前登録を実行する必要性を回避するように、様々な方法で構成、編成、および／または展開できる。
【００４６】
第１の展開方法では、２つ以上の事前登録ゾーンの境界に沿ったアクセス・ポイントおよび／またはセルは、別々の「境界事前登録ゾーン」にグループ化される。境界ゾーン中のアクセス・ポイントおよび／またはセルは、それらの２次事前登録ゾーン・リスト中にすべての接している事前登録ゾーンを含む。この展開方法は、数例を通して明らかになる。
【００４７】
図１０に、アクセス端末による頻繁な事前登録要求を最小限に抑えるために、事前登録ゾーンをどのように定義または構成することができるかの一例を示す。第１のアクセス・ネットワーク（たとえば、ＬＴＥネットワーク）のためのいくつかのセルが１つのゾーンに一緒にグループ化される。この例では、セルが３つのゾーン１００２、１００４および１００６にグループ化される。第１のゾーン１００２（ゾーンＡ）は、すべてのアクセス・ポイントが、事前登録ゾーンＡと、ゾーンＢを含む２次事前登録ゾーン・リストとを広告する、アクセス・ポイントを有するセルを含む。第２のゾーン１００４（ゾーンＢ）は、すべてのアクセス・ポイントが、事前登録ゾーンＢと、ゾーンＡおよびＣを含む２次事前登録ゾーン・リストとを広告する、アクセス・ポイントを有するセルを含む。ゾーンＢ１００４は、第１のゾーン１００２（ゾーンＡ）と第３のゾーン１００６（ゾーンＣ）との間にあるので、境界ゾーンと見なされることに留意されたい。第３のゾーン１００６（ゾーンＣ）は、すべてのアクセス・ポイントが、事前登録ゾーンＣと、ゾーンＢを含む２次事前登録ゾーン・リストとを広告する、アクセス・ポイントを有するセルを含む。
【００４８】
アクセス端末１００８は、第１のゾーン１００２（ゾーンＡ）中の第１のセル中で電源投入することができ、事前登録が許可されることを認識する。したがって、アクセス端末１００８は、第２のアクセス・ネットワーク（たとえば、ｅＨＲＰＤネットワーク）への第１の事前登録要求を開始し、事前登録ゾーン（ゾーンＡ）を覚えているまたは記憶する。アクセス端末１００８は、第２のゾーン１００４（たとえば、境界ゾーン）中の第２のセルに移動する。アクセス端末１００８’は、第２のセル中のそのサービング・アクセス・ポイントによって事前登録が許可されることを学習する。前に事前登録したので、アクセス端末１００８’は、その最後の事前登録ゾーン（ゾーンＡ）を呼び戻す。次いで、アクセス端末１００８’は、最後の事前登録ゾーン（ゾーンＡ）を、第２のゾーン１００４（ゾーンＢ）において現在広告された事前登録ゾーン（ゾーンＢ）および２次事前登録ゾーン・リスト（ゾーンＡおよびＣ）と比較する。アクセス端末１００８’がその最後の事前登録を実行した事前登録ゾーン（ゾーンＡ）は、２次事前登録ゾーン・リストに記載されたゾーンのうちの１つに一致するので、アクセス端末１００８’は事前登録をさらに繰り返さない。アクセス端末１００８’は、その後、第３のゾーン１００６（ゾーンＣ）中の第３のセルに移動することができる。第３のセル中にいる間、アクセス端末１００８’’は、その最後の事前登録されたゾーン（ゾーンＡ）が、第３のセルのためのサービング・アクセス・ポイントによって広告された事前登録ゾーン（ゾーンＣ）にも、２次事前登録ゾーン・リスト（ゾーンＢ）にももはや一致しないことを認識する。したがって、アクセス端末１００８’’は第２の事前登録要求を実行または送信する。
【００４９】
図１０の例では、第２のゾーン１００４（たとえば、境界ゾーン）が第１のゾーンと第２のゾーン（ゾーンＡとＣ）との間に存在し、第２のゾーン１００４（ゾーンＢ）中のアクセス・ポイントがそれらの２次事前登録ゾーン・リスト中に第１のゾーンおよび第３のゾーン（ゾーンＡおよびＢ）を含むので、アクセス端末１００８は、間断なく事前登録を実行することを回避することができる。境界ゾーン１００４（ゾーンＢ）を有することによって、第１の事前登録と第２の事前登録との間に十分な遅延がもたらされ、それによって電力消費の負担を低減し、無線リソース消費を最小限に抑える。
【００５０】
図１１に、アクセス端末による頻繁な事前登録要求を最小限に抑えるために、事前登録ゾーンをどのように定義または構成することができるかの別の例を示す。第１のアクセス・ネットワーク（たとえば、ＬＴＥネットワーク）のためのいくつかのセルが１つのゾーンに一緒にグループ化される。この例では、セルが４つのゾーン１１０２、１１０４、１１０６および１１０８にグループ化される。第１のゾーン１１０２（ゾーンＡ）は、すべてのアクセス・ポイントが、事前登録ゾーンＡと、ゾーンＢを含む２次事前登録ゾーン・リストとを広告する、アクセス・ポイントを有するセルを含む。第２のゾーン１１０４（ゾーンＢ）は、すべてのアクセス・ポイントが、事前登録ゾーンＢと、ゾーンＡ、ＣおよびＤを含む２次事前登録ゾーン・リストとを広告する、アクセス・ポイントを有するセルを含む。ゾーンＢ１１０４は、第１のゾーン１１０２（ゾーンＡ）と第３のゾーン１１０６（ゾーンＣ）と第４のゾーン１１０８（ゾーンＤ）との間にあるので、境界ゾーンと見なされることに留意されたい。第３のゾーン１１０６（ゾーンＣ）は、すべてのアクセス・ポイントが、事前登録ゾーンＣと、ゾーンＢを含む２次事前登録ゾーン・リストとを広告する、アクセス・ポイントを有するセルを含む。第４のゾーン１１０８（ゾーンＤ）は、すべてのアクセス・ポイントが、事前登録ゾーンＤと、ゾーンＢを含む２次事前登録ゾーン・リストとを広告する、アクセス・ポイントを有するセルを含む。
【００５１】
アクセス端末１１１０は、第１のゾーン１１０２（ゾーンＡ）中の第１のセル中で電源投入することができ、事前登録が許可されることを認識する。したがって、アクセス端末１１１０は、第２のアクセス・ネットワーク（たとえば、ｅＨＲＰＤネットワーク）への第１の事前登録要求を開始し、事前登録ゾーン（ゾーンＡ）を覚えているまたは記憶する。アクセス端末１１１０は、第２のゾーン１１０４（たとえば、境界ゾーン）中の第２のセルに移動する。アクセス端末１１１０’は、第２のセル中のそのサービング・アクセス・ポイントによって事前登録が許可されることを学習する。前に事前登録したので、アクセス端末１１１０’は、その最後の事前登録ゾーン（ゾーンＡ）を呼び戻す。次いで、アクセス端末１１１０’は、最後の事前登録ゾーン（ゾーンＡ）を、第２のゾーン１１０４（ゾーンＢ）において現在広告された事前登録ゾーン（ゾーンＢ）および２次事前登録ゾーン・リスト（ゾーンＡおよびＣ）と比較する。アクセス端末１１１０’がその最後の事前登録を実行した事前登録ゾーン（ゾーンＡ）は、第２のゾーン１１０４（ゾーンＢ）のための２次事前登録ゾーン・リストに記載されたゾーンのうちの１つに一致するので、アクセス端末１１１０’は事前登録をさらに繰り返さない。アクセス端末８０８’は、その後、第４のゾーン１１０８（ゾーンＤ）中の第３のセルに移動することができる。第３のセル中にいる間、アクセス端末１１１０’’は、その最後の事前登録されたゾーン（ゾーンＡ）が、第４のゾーン１１０８中の第３のセルのためのサービング・アクセス・ポイントによって広告された事前登録ゾーン（ゾーンＤ）にも、２次事前登録ゾーン・リスト（ゾーンＢ）にももはや一致しないことを認識する。したがって、アクセス端末１１１０’’は第２の事前登録要求を実行または送信する。
【００５２】
図１０および図１１に示す例では、ゾーンごとの２次事前登録ゾーン・リストは、隣接するゾーンのみを含むことができる。しかしながら、図１０および図１１に示す同じゾーン展開原理は、アクセス端末による事前登録試みを最小限に抑えるかまたは低減するいくつかの異なる方法で適用または展開できる。
【００５３】
図１２に、アクセス端末による頻繁な事前登録要求を最小限に抑えるために、事前登録ゾーンをどのように定義または構成することができるかのさらに別の例を示す。この例では、第１のアクセス・ネットワークは、各々複数のセルによって定義された少なくとも４つのゾーン１２０２、１２０４、１２０６、および１２０８に分割できる。この実装形態では、各２次ゾーン・リストは、第１のアクセス・ネットワーク中で定義されたすべての他のゾーンを含む。たとえば、第１のゾーン１２０２（ゾーンＡ）は、すべてのアクセス・ポイントが、事前登録ゾーンＡと、ゾーンＢ、ＣおよびＤを含む２次事前登録ゾーン・リストとを広告する、アクセス・ポイントを有するセルを含む。第２のゾーン１２０４（ゾーンＢ）は、すべてのアクセス・ポイントが、事前登録ゾーンＢと、ゾーンＡ、ＣおよびＤを含む２次事前登録ゾーン・リストとを広告する、アクセス・ポイントを有するセルを含む。第３のゾーン１２０６（ゾーンＣ）は、すべてのアクセス・ポイントが、事前登録ゾーンＣと、ゾーンＡ、ＢおよびＤを含む２次事前登録ゾーン・リストとを広告する、アクセス・ポイントを有するセルを含む。第４のゾーン１２０８（ゾーンＤ）は、すべてのアクセス・ポイントが、事前登録ゾーンＤと、ゾーンＡ、ＢおよびＤを含む２次事前登録ゾーン・リストとを広告する、アクセス・ポイントを有するセルを含む。第１のゾーン１２０２、第２のゾーン１２０４、第３のゾーン１２０６、および第４のゾーン１２０８中のアクセス・ポイントはすべて、それらの２次事前登録ゾーン・リストにおいて他のゾーンを広告するので、アクセス端末は、これらのゾーンのいずれかにおいて１回のみ事前登録する必要がある。たとえば、アクセス端末１２１０は、最初に第１のゾーン１２０２（ゾーンＡ）に登録することができる。アクセス端末１２１０が他の様々なゾーン１２０４、１２０６、および１２０８にわたって移動するとき、どのゾーン１２０４、１２０６、および１２０８もそれらの２次事前登録ゾーン・リスト中にゾーンＡを含むので、アクセス端末１２１０は事前登録をさらに実行する必要はない。
【００５４】
図１３に、アクセス端末による頻繁な事前登録要求を最小限に抑えるために、事前登録ゾーンをどのように定義または構成することができるかのさらに別の例を示す。この例では、第１のアクセス・ネットワーク中のすべてのセルのためのすべてのアクセス・ポイントが単一のゾーン１３０２にグループ化される。したがって、すべてのアクセス・ポイントが同じ事前登録ゾーン（ゾーンＡ）を広告する。その結果、アクセス端末１３０４は、ネットワーク全体またはゾーン１３０２において１回だけ事前登録する。アクセス端末１３０４が第１のアクセス・ネットワークまたはゾーン１３０２内を移動するとき、アクセス端末１３０４は、ネットワーク全体にわたって事前登録ゾーン変更に遭遇せず、したがって事前登録はさらに実行されない。
【００５５】
事前登録ゾーンを定義する例示的なネットワーク・サーバ
図１４は、事前登録ゾーンおよび／または２次事前登録ゾーン・リストを第１のアクセス・ネットワーク内のセルに割り振るように第１のアクセス・ネットワーク内で動作することができるネットワーク・サーバの一例を示すブロック図である。ネットワーク・サーバ１４０２は、ネットワーク内インターフェース１４０６とネットワーク間インターフェース１４０８とに結合された処理回路１４０４を含むことができる。ネットワーク内インターフェース１４０６は、ネットワーク・サーバ１４０２が第１のアクセス・ネットワーク内で複数のセル（または各セル中のアクセス・ポイント）と通信することを可能にする。ネットワーク間インターフェース１４０８は、ネットワーク・サーバ１４０２が第２のアクセス・ネットワークを含む他のネットワークと通信することを可能にする。処理回路１４０４は、１つまたは複数のゾーンを第１のアクセス・ネットワーク中の各セルに割り当てる事前登録ゾーンアロケータ１４１０を実装することができる。さらに、処理回路１４０４はまた、割り振られた事前登録ゾーンに関連付けられたゾーンのリストを生成する２次事前登録ゾーン・リスト生成器１４１２を実装することができる。
【００５６】
ネットワーク・サーバ１４０２は、図１０、図１１、図１２および／または図１３で説明する事前登録ゾーン構成のうちの１つまたは複数を実装することができる。
【００５７】
図１５に、事前登録ゾーンおよび／または２次事前登録ゾーン・リストを第１のアクセス・ネットワーク内のセルに割り振るようにネットワーク・サーバにおいて動作可能である方法の一例を示す。ネットワーク・サーバは、アクセス端末が第１のアクセス・ネットワークを介して第２のアクセス・ネットワークに事前登録することを第１のアクセス・ネットワークが許可するかどうかに基づいて事前登録インジケータを生成する１５０２。次いで、第１のアクセス・ネットワーク中の複数のセルを１つまたは複数のセル・グループにグループ化する１５０４。次いで、ネットワーク・サーバは、第１のセル・グループを第１の事前登録ゾーンに関連付ける１５０６。次いで、第１の事前登録ゾーンを除く、第１の事前登録ゾーンのための２次ゾーン・リストを生成する１５０８。事前登録インジケータ、第１の事前登録ゾーン、および／または２次ゾーン・リストのうちの少なくとも１つを、第１のセル・グループのためのセル内のアクセス・ポイントに配信する１５１０。第１のセル・グループ中のセルごとのアクセス・ポイントは、その後、これらのパラメータ（たとえば、再登録インジケータ、第１のゾーン、および２次ゾーン・リスト）をセル内のアクセス端末にブロードキャストすることができる。
【００５８】
図１６に、第１のアクセス・ネットワーク内で動作しているアクセス端末による事前登録試みの数を低減するために、第１のアクセス・ネットワーク内の複数のアクセス・ポイントをどのように編成することができるかの一例を示す。アクセス・ポイントは、１つまたは複数のネットワーク・セル内のワイヤレス・ネットワークカバレージ（サービス）を与えることができることに留意されたい。各アクセス・ポイントは、事前登録ゾーン識別子によって識別可能であるグループに割り当てられているか、または割り振られている。第１の事前登録ゾーン識別子（ＩＤ）をアクセス・ポイントの第１のグループに割り当てる１６０２。第２の事前登録ゾーン識別子（ＩＤ）をアクセス・ポイントの第２のグループに割り当てる１６０４。第３の事前登録ゾーン識別子（ＩＤ）をアクセス・ポイントの第３のグループに割り当てる１６０６。
【００５９】
アクセス・ポイントの第１のグループが、第１の事前登録ゾーン識別子（ＩＤ）を広告（たとえば、ブロードキャスト）する１６０８。アクセス・ポイントの第２のグループが第２の事前登録ゾーン識別子（ＩＤ）を広告（たとえば、ブロードキャスト）する１６１０。アクセス・ポイントの第１のグループとアクセス・ポイントの第２のグループとの間に境界ゾーンを形成するようにアクセス・ポイントの第３のグループを展開する１６１２。アクセス・ポイントの第３のグループが、第３の事前登録ゾーン識別子（ＩＤ）を広告（たとえば、ブロードキャスト）する１６１４。アクセス・ポイントの第３のグループが、２次事前登録ゾーン・リスト中の第１の事前登録ゾーン識別子（ＩＤ）と第２の事前登録ゾーン識別子（ＩＤ）とを広告する１６１６。
【００６０】
例示的なアクセス・ポイント
図１７は、第１のアクセス・ネットワーク内の事前登録ゾーンおよび／または２次事前登録ゾーン・リストを配信するように第１のアクセス・ネットワーク内で動作することができるアクセス・ポイントの一例を示すブロック図である。アクセス・ポイント１７０２は、第１のアクセス・ネットワークの第１のセル内で動作しているアクセス端末にサービスすることができる。アクセス・ポイントは、ワイヤレス通信インターフェース１７０６とネットワーク・インターフェース１７０８とに結合された処理回路１７０４を含むことができる。ワイヤレス・ネットワーク・インターフェース１７０６は、アクセス・ポイント１７０２が、アクセス・ポイントによってサービスされる第１のセル内の１つまたは複数のアクセス端末と通信すること１７１６を可能にする。ネットワーク・インターフェース１７０８は、アクセス・ポイント１７０２が、第２のアクセス・ネットワークへの通信を可能にするネットワーク・サーバまたは他のネットワーク・インフラストラクチャエンティティと通信することを可能にする。アクセス・ポイントは、事前登録インジケータ１７１８と、事前登録ゾーン１７２０と、２次事前登録ゾーン・リスト１７２２とを（ネットワーク・インターフェース１７０８を介して）受信、取得、あるいは生成することができる。事前登録インジケータ１７１８は、アクセス・ポイント１７０２および／またはそれが第１のセル内でサービスするアクセス端末に、第１のアクセス・ネットワークを介した第２のアクセス・ネットワークへの事前登録を第１のアクセス・ネットワークが許可するかどうかを通知するために使用される。事前登録ゾーンは、アクセス・ポイントが割り当てられた第１のアクセス・ネットワーク内のセルのグループのインジケータである。２次事前登録ゾーン・リスト１７２２は、事前登録ゾーン１７２２に関連付けられたゾーンのリストである。次いで、アクセス・ポイント１７０２は、事前登録インジケータ、事前登録ゾーン、および／または２次事前登録ゾーン・リスト１７２２のうちの１つまたは複数をブロードキャストする。アクセス・ポイント１７０２はまた、第１のアクセス・ネットワーク内で動作している１つまたは複数のアクセス端末から、第２のアクセス・ネットワークへの事前登録要求を受信することができる。事前登録インジケータがそのような事前登録が許可されることを示す場合、アクセス・ポイント１７０２は事前登録要求を第２のアクセス・ネットワークにルーティングする。
【００６１】
図１８に、事前登録情報をアクセス端末に配信するようにアクセス・ポイントにおいて動作可能な方法を示す。アクセス・ポイントは、第１のアクセス・ネットワークから事前登録インジケータを取得する１８０２。さらに、アクセス・ポイントはまた、第１のアクセス・ネットワーク内のアクセス・ポイントのグループを識別する第１の事前登録ゾーン識別子を取得する１８０４。アクセス・ポイントはまた、第１のゾーン識別子に関連付けられたゾーン識別子を含む２次事前登録ゾーン・リストを取得する１８０６。アクセス・ポイントは、事前登録インジケータ、第１のゾーン識別子、または２次事前登録ゾーン・リストのうちの少なくとも１つを広告（たとえば、ブロードキャスト）する１８０８。アクセス・ポイントによってカバーされるセル内で動作しているアクセス端末から第２のアクセス・ネットワークへの事前登録要求を受信する１８１０。事前登録インジケータがそのような事前登録が許可されることを示す場合、事前登録要求が第２のアクセス・ネットワークにルーティングされる。
【００６２】
開示したプロセスにおけるステップの特定の順序または階層は、例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００６３】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００６４】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装できることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００６５】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００６６】
本明細書で開示する実施形態に関して説明する方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣはユーザ端末中に常駐することができる。代替として、プロセッサおよび記憶媒体は、ユーザ端末中に個別構成要素として常駐することができる。
【００６７】
図１、図２、図３、図４、図５、図６、図７、図８、図９、図１０、図１１、図１２、図１３、図１４、図１５、図１６、図１７および／または図１８に示す構成要素、ステップ、および／または機能のうちの１つまたは複数は、単一の構成要素、ステップ、または機能に再構成し、および／または組み合わせることができ、あるいは、複数の構成要素、ステップ、または機能で実施することができる。また、本発明から逸脱することなく追加の要素、構成要素、ステップ、および／または機能を追加することができる。
【００６８】
さらに、本明細書で開示する実施形態に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【００６９】
実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
以下に本件出願当初の特許請求の範囲に記載された発明を付記する。
［１］  アクセス端末において動作可能な方法であって、
前記アクセス端末によって第１のアクセス・ネットワークを介して第２のアクセス・ネットワークへの事前登録が実行された後に、タイマーを開始することと、
アボート状態が発生しない限り、前記タイマーの満了より前の前記第２のアクセス・ネットワークへの追加の事前登録を防ぐことと、
アボート状態が発生した場合、前記タイマーの前記満了より前に第２の事前登録を実行することと、
を備える方法。
［２］  サービングセル信号品質が信号品質しきい値を下回るとき、前記アボート状態が発生する［１］に記載の方法。
［３］  前記第１のアクセス・ネットワークから前記第２のアクセス・ネットワークへの切迫したハンドオフの指示が取得され、前記アクセス端末が前記第２のアクセス・ネットワークへの有効な事前登録がないとき、前記アボート状態が発生する［１］に記載の方法。
［４］  前記タイマーが、前記アクセス端末による事前登録試み間の時間を延長するように固定の持続時間を有する［１］に記載の方法。
［５］  前記タイマーがヒステリシス・タイマーである［１］に記載の方法。
［６］  前記第１のアクセス・ネットワークが前記第２のアクセス・ネットワークへの事前登録を許可すると判断すること、
をさらに備える［１］に記載の方法。
［７］  前記第１のアクセス・ネットワークの第１のサービング・アクセス・ポイントから事前登録インジケータと第１の事前登録ゾーン識別子とを受信すること、
をさらに備える［１］に記載の方法。
［８］  前記事前登録インジケータは、前記第１のアクセス・ネットワークが前記第２のアクセス・ネットワークへの事前登録を許可するかどうかを判断する［７］に記載の方法。
［９］  前記アクセス端末が、前記第１のアクセス・ポイントに関連付けられた前記受信した第１の事前登録ゾーンを記憶する［７］に記載の方法。
［１０］  前記第１の事前登録ゾーンに関連付けられた２次事前登録ゾーン・リストを受信すること、をさらに備える［７］に記載の方法。
［１１］  前記アクセス端末が前記第１のアクセス・ネットワーク内の前記第１のサービング・アクセス・ポイントから第２のサービング・アクセス・ポイントに移動するとき、前記方法が、
前記第２のサービング・アクセス・ポイントのための第２の事前登録ゾーンを取得することと、
前記第２の事前登録ゾーンを前記第１の事前登録ゾーンと比較することと、
前記第１の事前登録ゾーンと前記第２の事前登録ゾーンとが同じである場合、新たな事前登録を防ぐことと、
をさらに備える［７］に記載の方法。
［１２］  前記第２のサービング・アクセス・ポイントのための２次事前登録ゾーン・リストを取得することと、
前記第１の事前登録ゾーンを前記２次事前登録ゾーン・リスト中の１つまたは複数のゾーンと比較することと、
前記第１の事前登録ゾーンが前記２次事前登録ゾーン・リスト中で発見された場合、新たな事前登録を防ぐことと、
をさらに備える［１１］に記載の方法。
［１３］  前記第１の事前登録ゾーンが前記第２の事前登録ゾーンおよび前記２次事前登録ゾーン・リスト中の前記ゾーンとは異なる場合、前記第１のアクセス・ネットワークの前記第２のサービング・アクセス・ポイントを介して前記第２のアクセス・ネットワークへの新たな事前登録を実行すること、
をさらに備える［１２］に記載の方法。
［１４］  前記第１のアクセス・ネットワークと前記第２のアクセス・ネットワークとが異なるワイヤレス・ネットワークである［１］に記載の方法。
［１５］  前記第１のアクセス・ネットワークがＬｏｎｇ  Ｔｅｒｍ  Ｅｖｏｌｕｔｉｏｎネットワークであり、前記第２のアクセス・ネットワークがEvolved High Rate Packet Dataネットワークである［１４］に記載の方法。
［１６］  事前登録が、前記第１のアクセス・ネットワークを介して通信トンネルを通して前記第２のアクセス・ネットワークと１つまたは複数のメッセージを交換することを含む、［１］に記載の方法。
［１７］  前記第２のアクセス・ネットワークへの前記アクセス端末の事前登録が、遅延のない前記第１のアクセス・ネットワークと前記第２のアクセス・ネットワークとの間の後続の通信ハンドオフを可能にする［１］に記載の方法。
［１８］  第１のアクセス・ネットワークおよび第２のアクセス・ネットワークにわたって通信するためのマルチ・モード機能を有するワイヤレス通信インターフェースと、
前記ワイヤレス通信インターフェースに結合された処理回路であって、
前記アクセス端末によって前記第１のアクセス・ネットワークを介して前記第２のアクセス・ネットワークへの事前登録が実行された後に、タイマーを開始することと、
アボート状態が発生しない限り、前記タイマーの満了より前の前記第２のアクセス・ネットワークへの追加の事前登録を防ぐことと、
アボート状態が発生する場合、前記タイマーの前記満了より前に第２の事前登録を実行することと、
を行うように適合された処理回路と、
を備えるアクセス端末。
［１９］  前記ワイヤレス通信インターフェースが、常時、前記第１のアクセス・ネットワークおよび前記第２のアクセス・ネットワークのうちのただ１つと通信する［１８］に記載のアクセス端末。
［２０］  前記処理回路が、
前記第１のアクセス・ネットワークの第１のサービング・アクセス・ポイントから第１の事前登録ゾーン識別子を取得することであって、前記第１の事前登録ゾーン識別子が前記第１のアクセス・ネットワーク中の複数のアクセス・ポイントに関連付けられた、取得することと、
前記第１の事前登録ゾーンに関連付けられた２次事前登録ゾーン・リストを取得することと、
を行うようにさらに適合される［１８］に記載のアクセス端末。
［２１］  前記アクセス端末が前記第１のアクセス・ネットワーク内の前記第１のサービング・アクセス・ポイントから第２のサービング・アクセス・ポイントに移動するとき、前記処理回路が、
前記第２のサービング・アクセス・ポイントのための第２の事前登録ゾーンを取得することと、
前記第２の事前登録ゾーンを前記第１の事前登録ゾーンと比較することと、
前記第１の事前登録ゾーンと前記第２の事前登録ゾーンとが同じである場合、新たな事前登録を防ぐことと、
を行うようにさらに適合される［２０］に記載のアクセス端末。
［２２］  前記処理回路が、
前記第２のサービング・アクセス・ポイントのための２次事前登録ゾーン・リストを取得することと、
前記第１の事前登録ゾーンを前記２次事前登録ゾーン・リスト中の１つまたは複数のゾーンと比較することと、
前記第１の事前登録ゾーンが前記２次事前登録ゾーン・リスト中で発見された場合、新たな事前登録を防ぐことと、
を行うようにさらに適合される［２１］に記載のアクセス端末。
［２３］  前記アクセス端末によって第１のアクセス・ネットワークを介して第２のアクセス・ネットワークへの事前登録が実行された後に、タイマーを開始するための手段と、
アボート状態が発生しない限り、前記タイマーの満了より前の前記第２のアクセス・ネットワークへの追加の事前登録を防ぐための手段と、
アボート状態が発生した場合、前記タイマーの前記満了より前に第２の事前登録を実行するための手段と、
を備えるアクセス端末。
［２４］  第１のアクセス・ネットワークのアクセス・ポイントにおいて動作可能な方法であって、
前記第１のアクセス・ネットワーク内のアクセス・ポイントのグループを識別する第１の事前登録ゾーン識別子を取得することと、
前記第１の事前登録ゾーン識別子に関連付けられたゾーン識別子を含む２次事前登録ゾーン・リストを取得することと、
前記第１の事前登録ゾーン識別子と前記２次事前登録ゾーン・リストとを、前記アクセス・ポイントによってカバーされるセル中の１つまたは複数のアクセス端末に広告することと、
を備える方法。
［２５］  前記第１のアクセス・ネットワークから事前登録インジケータを取得することと、
前記アクセス・ポイントによってカバーされるセル内で動作しているアクセス端末から第２のアクセス・ネットワークへの事前登録要求を受信することと、
前記事前登録インジケータがそのような事前登録が許可されることを示す場合、前記事前登録要求を前記第２のアクセス・ネットワークにルーティングすることと、
をさらに備える［２４］に記載の方法。
［２６］  前記第１のアクセス・ネットワークの前記アクセス・ポイントを介した第２のアクセス・ネットワークへの新たな事前登録が必要とされるかどうかを判断するために、前記第１の事前登録ゾーン識別子と前記２次事前登録ゾーン・リストとが、前記アクセス・ポイントによってカバーされるセル中の受信アクセス端末によって利用される［２４］に記載の方法。
［２７］  第１のアクセス・ネットワーク内のセル中のアクセス端末と通信するためのワイヤレス・ネットワーク・インターフェースと、
第２のアクセス・ネットワークと通信するためのネットワーク・インターフェースと、
前記ワイヤレス・ネットワーク・インターフェースと前記ネットワーク・インターフェースとに結合された処理回路であって、
前記第１のアクセス・ネットワーク内のアクセス・ポイントのグループを識別する第１の事前登録ゾーン識別子を取得することと、
前記第１の事前登録ゾーン識別子に関連付けられたゾーン識別子を含む２次事前登録ゾーン・リストを取得することと、
前記第１の事前登録ゾーン識別子と前記２次事前登録ゾーン・リストとを、前記アクセス・ポイントによってカバーされるセル中の１つまたは複数のアクセス端末に広告することと、
を行うように適合された処理回路と
を備えるアクセス・ポイント。
［２８］  前記処理回路が、
前記第１のアクセス・ネットワークから事前登録インジケータを取得することと、
前記アクセス・ポイントによってカバーされるセル内で動作しているアクセス端末から第２のアクセス・ネットワークへの事前登録要求を受信することと、
前記事前登録インジケータがそのような事前登録が許可されることを示す場合、前記事前登録要求を前記第２のアクセス・ネットワークにルーティングすることと
を行うようにさらに適合される［２７］に記載のアクセス・ポイント。
［２９］  第１のアクセス・ネットワーク内のアクセス・ポイントのグループを識別する第１の事前登録ゾーン識別子を取得するための手段と、
前記第１の事前登録ゾーン識別子に関連付けられたゾーン識別子を含む２次事前登録ゾーン・リストを取得するための手段と、
前記第１の事前登録ゾーン識別子と前記２次事前登録ゾーン・リストとを、前記アクセス・ポイントによってカバーされるセル中の１つまたは複数のアクセス端末に広告するための手段と、
を備えるアクセス・ポイント。
［３０］  前記第１のアクセス・ネットワークから事前登録インジケータを取得するための手段と、
前記アクセス・ポイントによってカバーされるセル内で動作しているアクセス端末から第２のアクセス・ネットワークへの事前登録要求を受信するための手段と、
前記事前登録インジケータがそのような事前登録が許可されることを示す場合、前記事前登録要求を前記第２のアクセス・ネットワークにルーティングするための手段と
をさらに備える［２９］に記載のアクセス・ポイント。
［３１］  第１のアクセス・ネットワークのネットワーク・サーバにおいて動作可能な方法であって、
第１のアクセス・ネットワーク中の複数のセルを１つまたは複数のセル・グループにグループ化することと、
第１のセル・グループを第１の事前登録ゾーンに関連付けることと、
前記第１の事前登録ゾーンを除く、前記第１の事前登録ゾーンのための２次ゾーン・リストを生成することと、
前記第１の事前登録ゾーンと前記２次ゾーン・リストとを前記第１のセル・グループのための前記セル内のアクセス・ポイントに配信することと、
を備える方法。
［３２］  前記第１のアクセス・ネットワークを介した第２のアクセス・ネットワークへの新たな事前登録が必要とされるかどうかを判断するために、前記第１の事前登録ゾーンと前記２次ゾーン・リストとが受信アクセス端末によって利用される［３１］に記載の方法。
［３３］  前記事前登録インジケータを配信することと、
アクセス端末が前記第１のアクセス・ネットワークを介して第２のアクセス・ネットワークに事前登録することを前記第１のアクセス・ネットワークが許可するかどうかに基づいて、事前登録インジケータを生成することと、
をさらに備える［３１］に記載の方法。
［３４］  第１のアクセス・ネットワーク内のアクセス・ポイントと通信するためのネットワーク内インターフェースと、
第２のアクセス・ネットワークと通信するためのネットワーク間インターフェースと、
前記ネットワーク内インターフェースと前記ネットワーク間インターフェースとに結合された処理回路であって、
第１のアクセス・ネットワーク中の複数のセルを１つまたは複数のセル・グループにグループ化することと、
第１のセル・グループを第１の事前登録ゾーンに関連付けることと、
前記第１の事前登録ゾーンを除く、前記第１の事前登録ゾーンのための２次ゾーン・リストを生成することと、
前記第１の事前登録ゾーンと前記２次ゾーン・リストとを前記第１のセル・グループのための前記セル内のアクセス・ポイントに配信することと、
を行うように適合された処理回路と、
を備えるネットワーク・サーバ。
［３５］  前記第１のアクセス・ネットワークを介した前記第２のアクセス・ネットワークへの新たな事前登録が必要とされるかどうかを判断するために、前記第１の事前登録ゾーンと前記２次ゾーン・リストとが受信アクセス端末によって利用される［３４］に記載の方法。
［３６］  第１のアクセス・ネットワーク中の複数のセルを１つまたは複数のセル・グループにグループ化するための手段と、
第１のセル・グループを第１の事前登録ゾーンに関連付けるための手段と、
前記第１の事前登録ゾーンを除く、前記第１の事前登録ゾーンのための２次ゾーン・リストを生成するための手段と、
前記第１の事前登録ゾーンと前記２次ゾーン・リストとを前記第１のセル・グループのための前記セル内のアクセス・ポイントに配信するための手段と、
を備えるネットワーク・サーバ。
［３７］  第１のアクセス・ネットワーク内にアクセス・ポイントと事前登録ゾーンとを展開するための方法であって、
アクセス・ポイントの第１のグループから第１の事前登録ゾーン識別子を広告することと、
アクセス・ポイントの第２のグループから第２の事前登録ゾーン識別子を広告することと、
アクセス・ポイントの前記第１のグループとアクセス・ポイントの前記第２のグループとの間に境界ゾーンを形成するようにアクセス・ポイントの第３のグループを展開することと、
を備える方法。
［３８］  アクセス・ポイントの前記第３のグループから前記第３の事前登録ゾーン識別子を広告することと、
アクセス・ポイントの前記第３のグループから２次事前登録ゾーン・リスト中の前記第１の事前登録ゾーン識別子と前記第２の事前登録ゾーン識別子とを広告することと、
をさらに備える［３７］に記載の方法。
［３９］  前記２次事前登録ゾーン・リストが前記第３の事前登録ゾーン識別子を除く、［３８］に記載の方法。
［４０］  前記第１の事前登録ゾーン識別子をアクセス・ポイントの前記第１のグループに割り当てることと、
前記第２の事前登録ゾーン識別子をアクセス・ポイントの前記第２のグループに割り当てることと、
前記第３の事前登録ゾーン識別子をアクセス・ポイントの前記第３のグループに割り当てることと、
をさらに備える［３７］に記載の方法。
［４１］  前記第１の事前登録ゾーン識別子と、第１の事前登録ゾーン識別子と、前記第３の事前登録ゾーン識別子とが同じゾーン識別子である［３７］に記載の方法。
【図１】
0005579722.tif 000002
【図２】
0005579722.tif 000003
【図３】
0005579722.tif 000004
【図４】
0005579722.tif 000005
【図５】
0005579722.tif 000006
【図６】
0005579722.tif 000007
【図７】
0005579722.tif 000008
【図８】
0005579722.tif 000009
【図９】
0005579722.tif 000010
【図１０】
0005579722.tif 000011
【図１１】
0005579722.tif 000012
【図１２】
0005579722.tif 000013
【図１３】
0005579722.tif 000014
【図１４】
0005579722.tif 000015
【図１５】
0005579722.tif 000016
【図１６】
0005579722.tif 000017
【図１７】
0005579722.tif 000018
【図１８】
0005579722.tif 000019